(57)【要約】【課題】手書きチャットシステムの各ユーザが、手書きデータ以外のデータを円滑に共有できるようにする電子機器、通信システム、通信方法および通信プログラムを提供する。【解決手段】通信システム１は、液晶パネル１４０、２４０を有する電子機器１００と、液晶パネル１４０＃、２４０＃を有する電子機器１００＃と、液晶パネル１２を有する電子機器１０と、モニタ２２を有する電子機器２０とを備える。電子機器１００は、液晶パネル２４０への入力パターンおよび添付データを含むコマンドを電子機器１００＃あるいは電子機器１０に送信する。コマンドを受け取った電子機器１００＃は、入力パターンを液晶パネル１４０＃に、添付データに対応する画像を液晶パネル２４０＃に表示する。コマンドを受け取った電子機器１０は、入力パターンを液晶パネル１２に表示し、添付データを電子機器２０に転送する。【選択図】図１
2010108158.tif 000002
【特許請求の範囲】
【請求項１】
電子機器であって、
外部機器と通信する通信手段と、
モニタと、
表示一体型タブレットとを備え、
前記表示一体型タブレットは、前記表示一体型タブレットへの入力パターンを出力し、
前記電子機器の動作を制御する制御手段をさらに備え、
前記制御手段は、
添付データを作成する添付データ作成手段と、
前記通信手段を制御し、前記入力パターンおよび前記添付データを含み、前記入力パターンの表示一体型タブレットでの表示および前記添付データのモニタでの再生を前記外部機器に要求するコマンドを前記外部機器に送信する転送制御手段とを含む、電子機器。
【請求項２】
前記外部機器は、表示一体型タブレットを有する第１の機器およびモニタを有する第２の機器を含み、
前記コマンドは、前記第１の機器に対し、前記入力パターンを前記第１の機器の前記表示一体型タブレットに表示し、前記添付データを前記第２の機器に転送することを要求する、請求項１に記載の電子機器。
【請求項３】
前記外部機器は、モニタおよび表示一体型タブレットを有する第３の機器を含み、
前記コマンドは、前記第３の機器に対し、前記入力パターンを前記第３の機器の前記表示一体型タブレットに表示し、前記添付データに対応する画面を前記第３の機器の前記モニタに表示することを要求する、請求項１または２に記載の電子機器。
【請求項４】
前記添付データは、前記電子機器の前記モニタの表示画面に関する、請求項１から３のいずれか１項に記載の電子機器。
【請求項５】
前記添付データは、前記表示画面の基礎となる表示データを含む、請求項４に記載の電子機器。
【請求項６】
前記添付データは、前記表示画面の基礎となるファイルを含む、請求項４に記載の電子機器。
【請求項７】
前記添付データは、前記表示画面へのリンクを含む、請求項４に記載の電子機器。
【請求項８】
前記表示画面は、ウェブ画面を含み、
前記リンクは、前記ウェブ画面のアドレスである、請求項７に記載の電子機器。
【請求項９】
前記モニタは、光センサ内蔵液晶パネルである、請求項１から８のいずれか１項に記載の電子機器。
【請求項１０】
前記添付データは、前記光センサ内蔵液晶パネルが取得した画像データを含む、請求項９に記載の電子機器。
【請求項１１】
前記電子機器の前記表示一体型タブレットは、光センサ内蔵液晶パネルである、請求項１から１０のいずれか１項に記載の電子機器。
【請求項１２】
電子機器であって、
モニタと表示一体型タブレットとを有する第１の機器およびモニタを有する第２の機器と通信する通信手段と、
表示一体型タブレットと、
前記電子機器の動作を制御する制御手段とを備え、
前記制御手段は、
前記通信手段が前記第１の機器から入力パターンおよび添付データを含むコマンドを受信すると、前記表示一体型タブレットに前記入力パターンを表示させる表示制御手段と、
前記通信手段が前記コマンドを受信すると、前記通信手段を制御し、前記添付データを前記第２の機器に送信する再転送制御手段とを含む、電子機器。
【請求項１３】
電子機器であって、
外部機器と通信する通信手段と、
モニタと、
表示一体型タブレットと、
前記電子機器の動作を制御する制御手段とを備え、
前記制御手段は、
前記通信手段が前記外部機器から入力パターンおよび添付データを含むコマンドを受信すると、前記表示一体型タブレットに前記入力パターンを表示させる第１の表示制御手段と、
前記通信手段が前記コマンドを受信すると、前記モニタに前記添付データに対応する画面を表示させる第２の表示制御手段とを含む、電子機器。
【請求項１４】
第１の機器と第２の機器と第３の機器とを備える通信システムであって、
前記第１の機器は、
前記第２の機器と通信する第１の通信手段と、
第１のモニタと、
第１の表示一体型タブレットとを備え、
前記第１の表示一体型タブレットは、前記第１の表示一体型タブレットへの入力パターンを出力し、
前記第１の機器の動作を制御する第１の制御手段をさらに備え、
前記第１の制御手段は、
前記モニタに関するデータを添付データとして作成する添付データ作成手段と、
前記第１の通信手段を制御し、前記入力パターンおよび前記添付データを表わすコマンドを前記第２の機器に送信する転送制御手段とを含み、
前記第２の機器は、
前記第１の機器と前記第３の機器と通信する第２の通信手段と、
第２の表示一体型タブレットと、
前記第２の機器の動作を制御する第２の制御手段とを備え、
前記第２の制御手段は、
前記第２の通信手段が前記コマンドを受信すると、前記第２の表示一体型タブレットに前記入力パターンを表示させる表示制御手段と、
前記第２の通信手段が前記コマンドを受信すると、前記第２の通信手段を制御し、前記添付データを前記第３の機器に送信する再転送制御手段とを含み、
前記第３の機器は、
第２のモニタと、
前記添付データに対応する画面を前記第２のモニタに表示する表示制御手段とを含む、通信システム。
【請求項１５】
第１の機器と第２の機器とを備える通信システムであって、
前記第１の機器は、
前記第２の機器と通信する第１の通信手段と、
第１のモニタと、
第１の表示一体型タブレットとを備え、
前記第１の表示一体型タブレットは、前記第１の表示一体型タブレットへの入力パターンを出力し、
前記第１の機器の動作を制御する第１の制御手段をさらに備え、
前記第１の制御手段は、
前記第１のモニタに関するデータを添付データとして作成する添付データ作成手段と、
前記第１の通信手段を制御し、前記入力パターンおよび前記添付データを含むコマンドを前記第２の機器に送信する転送制御手段とを含み、
前記第２の機器は、
前記第１の機器と通信する第２の通信手段と、
第２のモニタと、
第２の表示一体型タブレットと、
前記第２の機器の動作を制御する第２の制御手段とを備え、
前記第２の制御手段は、
前記第２の通信手段が前記コマンドを受信すると、前記第２の表示一体型タブレットに前記入力パターンを表示させる第１の表示制御手段と、
前記第２の通信手段が前記コマンドを受信すると、前記第２のモニタに前記添付データに対応する画面を表示させる第２の表示制御手段とを含む、通信システム。
【請求項１６】
モニタと表示一体型タブレットとを有する電子機器を用いた通信方法であって、
前記電子機器が添付データを作成するステップと、
前記電子機器が、前記表示一体型タブレットへの入力パターンおよび前記添付データを含み、前記入力パターンの表示一体型タブレットでの表示および前記添付データのモニタでの再生を外部機器に要求するコマンドを前記外部機器へ送信するステップとを備える、通信方法。
【請求項１７】
モニタと表示一体型タブレットとを有する電子機器に通信を行なわせる通信プログラムであって、
前記電子機器に添付データを作成させるステップと、
前記電子機器に、前記表示一体型タブレットへの入力パターンおよび前記添付データを含み、前記入力パターンの表示一体型タブレットでの表示および前記添付データのモニタでの再生を外部機器に要求するコマンドを前記外部機器へ送信させるステップとを備える、通信プログラム。
【発明の詳細な説明】
【技術分野】
【０００１】
本発明は、電子機器、複数の電子機器を含む通信システム、ならびに、電子機器による通信方法および通信プログラムに関する。
【背景技術】
【０００２】
現在、パソコンなどの電子機器が広く流通している。特許文献１（特許第４０３９６６０号公報）、特許文献２（特許第３８９２７６０号公報）、特許文献３（特許第３８１１１２８号公報）、特許文献４（特開２０００−３３９０９７号公報）には、表示装置と組み合わせたタッチパッドを備える情報処理装置が開示されている。
【０００３】
また、近年、複数の電子機器を用いた手書きチャットシステムが普及しつつある。手書きチャットシステムに含まれる各電子機器は、手書き可能な表示面（例えばホワイトボード）を有する。システムに含まれる全電子機器は、インターネットなどを介して、写真や各電子機器のホワイトボードへの入力パターン（手書きパターン）などを双方向に送りあう。
【０００４】
したがって、手書きチャットシステムのユーザは、互いに離れたところにいても、仮想的な１つのホワイトボードを共有できる。ユーザは、ホワイトボードに書込みを行なうことにより、互いに意思疎通を図ることができる。
【特許文献１】特許第４０３９６６０号公報
【特許文献２】特許第３８９２７６０号公報
【特許文献３】特許第３８１１１２８号公報
【特許文献４】特開２０００−３３９０９７号公報
【発明の開示】
【発明が解決しようとする課題】
【０００５】
しかしながら、従来の手書きチャットシステムは、手書きパターン以外のドキュメントや写真などのデータを、手書きデータの一部としてしか扱えなかった。システム内の電子機器がこのようなデータを送ると、ホワイトボードは、手書きパターン以外のデータと手書きデータとが混じった画面を表示していた。
【０００６】
したがって、従来の手書きチャットシステムのユーザが、手書きパターン以外のデータを円滑に共有することは難しかった。このようなデータを送ると、ホワイトボードの表示が煩雑になるためである。
【０００７】
本発明は、上記のような問題を解決するためになされたものであって、手書きチャットシステムの各ユーザが、手書きデータ以外のデータを円滑に共有できるようにする電子機器、通信システム、通信方法および通信プログラムを提供することを課題とする。
【課題を解決するための手段】
【０００８】
本発明の１つの局面に従うと、電子機器であって、外部機器と通信する通信手段と、モニタと、表示一体型タブレットとを備え、表示一体型タブレットは、表示一体型タブレットへの入力パターンを出力し、電子機器の動作を制御する制御手段をさらに備え、制御手段は、添付データを作成する添付データ作成手段と、通信手段を制御し、入力パターンおよび添付データを含み、入力パターンの表示一体型タブレットでの表示および添付データのモニタでの再生を外部機器に要求するコマンドを外部機器に送信する転送制御手段とを含む。
【０００９】
好ましくは、外部機器は、表示一体型タブレットを有する第１の機器およびモニタを有する第２の機器を含み、コマンドは、第１の機器に対し、入力パターンを第１の機器の表示一体型タブレットに表示し、添付データを第２の機器に転送することを要求する。
【００１０】
好ましくは、外部機器は、モニタおよび表示一体型タブレットを有する第３の機器を含み、コマンドは、第３の機器に対し、入力パターンを第３の機器の表示一体型タブレットに表示し、添付データに対応する画面を第３の機器のモニタに表示することを要求する。
【００１１】
好ましくは、添付データは、電子機器のモニタの表示画面に関する。
さらに好ましくは、添付データは、表示画面の基礎となる表示データを含む。
【００１２】
さらに好ましくは、添付データは、表示画面の基礎となるファイルを含む。
さらに好ましくは、添付データは、表示画面へのリンクを含む。
【００１３】
さらに好ましくは、表示画面は、ウェブ画面を含み、リンクは、ウェブ画面のアドレスである。
【００１４】
好ましくは、モニタは、光センサ内蔵液晶パネルである。
さらに好ましくは、添付データは、光センサ内蔵液晶パネルが取得した画像データを含む。
【００１５】
好ましくは、電子機器の表示一体型タブレットは、光センサ内蔵液晶パネルである。
本発明の他の局面に従うと、電子機器であって、モニタと表示一体型タブレットとを有する第１の機器およびモニタを有する第２の機器と通信する通信手段と、表示一体型タブレットと、電子機器の動作を制御する制御手段とを備え、制御手段は、通信手段が第１の機器から入力パターンおよび添付データを含むコマンドを受信すると、表示一体型タブレットに入力パターンを表示させる表示制御手段と、通信手段がコマンドを受信すると、通信手段を制御し、添付データを第２の機器に送信する再転送制御手段とを含む。
【００１６】
本発明のさらに他の局面に従うと、電子機器であって、外部機器と通信する通信手段と、モニタと、表示一体型タブレットと、電子機器の動作を制御する制御手段とを備え、制御手段は、通信手段が外部機器から入力パターンおよび添付データを含むコマンドを受信すると、表示一体型タブレットに入力パターンを表示させる第１の表示制御手段と、通信手段がコマンドを受信すると、モニタに添付データに対応する画面を表示させる第２の表示制御手段とを含む。
【００１７】
本発明のさらに他の局面に従うと、第１の機器と第２の機器と第３の機器とを備える通信システムであって、第１の機器は、第２の機器と通信する第１の通信手段と、第１のモニタと、第１の表示一体型タブレットとを備え、第１の表示一体型タブレットは、第１の表示一体型タブレットへの入力パターンを出力し、第１の機器の動作を制御する第１の制御手段をさらに備え、第１の制御手段は、モニタに関するデータを添付データとして作成する添付データ作成手段と、第１の通信手段を制御し、入力パターンおよび添付データを表わすコマンドを第２の機器に送信する転送制御手段とを含み、第２の機器は、第１の機器と第３の機器と通信する第２の通信手段と、第２の表示一体型タブレットと、第２の機器の動作を制御する第２の制御手段とを備え、第２の制御手段は、第２の通信手段がコマンドを受信すると、第２の表示一体型タブレットに入力パターンを表示させる表示制御手段と、第２の通信手段がコマンドを受信すると、第２の通信手段を制御し、添付データを第３の機器に送信する再転送制御手段とを含み、第３の機器は、第２のモニタと、添付データに対応する画面を第２のモニタに表示する表示制御手段とを含む。
【００１８】
本発明のさらに他の局面に従うと、第１の機器と第２の機器とを備える通信システムであって、第１の機器は、第２の機器と通信する第１の通信手段と、第１のモニタと、第１の表示一体型タブレットとを備え、第１の表示一体型タブレットは、第１の表示一体型タブレットへの入力パターンを出力し、第１の機器の動作を制御する第１の制御手段をさらに備え、第１の制御手段は、第１のモニタに関するデータを添付データとして作成する添付データ作成手段と、第１の通信手段を制御し、入力パターンおよび添付データを含むコマンドを第２の機器に送信する転送制御手段とを含み、第２の機器は、第１の機器と通信する第２の通信手段と、第２のモニタと、第２の表示一体型タブレットと、第２の機器の動作を制御する第２の制御手段とを備え、第２の制御手段は、第２の通信手段がコマンドを受信すると、第２の表示一体型タブレットに入力パターンを表示させる第１の表示制御手段と、第２の通信手段がコマンドを受信すると、第２のモニタに添付データに対応する画面を表示させる第２の表示制御手段とを含む。
【００１９】
本発明のさらに他の局面に従うと、モニタと表示一体型タブレットとを有する電子機器を用いた通信方法であって、電子機器が添付データを作成するステップと、電子機器が、表示一体型タブレットへの入力パターンおよび添付データを含み、入力パターンの表示一体型タブレットでの表示および添付データのモニタでの再生を外部機器に要求するコマンドを外部機器へ送信するステップとを備える。
【００２０】
本発明のさらに他の局面に従うと、モニタと表示一体型タブレットとを有する電子機器に通信を行なわせる通信プログラムであって、電子機器に添付データを作成させるステップと、電子機器に、表示一体型タブレットへの入力パターンおよび添付データを含み、入力パターンの表示一体型タブレットでの表示および添付データのモニタでの再生を外部機器に要求するコマンドを外部機器へ送信させるステップとを備える。
【発明の効果】
【００２１】
本発明によれば、電子機器は、表示一体型タブレットへの入力パターンと添付データとの再生を外部機器に要求するコマンドを送信する。コマンドを受けた外部機器は、入力パターンを表示一体型タブレットに表示させ、添付データに応じた画面をモニタに表示させる。その結果、本発明によれば、手書きチャットシステムの各ユーザは、手書きデータ以外のデータを円滑に共有できる。
【発明を実施するための最良の形態】
【００２２】
以下、図面を参照しつつ、本発明の実施の形態について説明する。以下の説明では、同一の部分には同一の符号を付してある。それらの名称および機能も同じである。したがってそれらについての詳細な説明は繰り返さない。
【００２３】
図１は、本発明に係る手書きチャット用の通信システム１の構成を示す図である。図１を参照して、通信システム１は、電子機器１００と、電子機器１００＃と、電子機器１０と、電子機器２０とを備える。
【００２４】
電子機器１００は、第１の筐体１００Ａと第２の筐体１００Ｂとを含む。
第１の筐体１００Ａと第２の筐体１００Ｂとは、ヒンジ１００Ｃにより折畳み可能に接続されている。第１の筐体１００Ａは、光センサ内蔵液晶パネル１４０を備える。第２の筐体１００Ｂは、光センサ内蔵液晶パネル２４０を備える。このように、電子機器１００は、光センサ内蔵液晶パネルを２つ備える。
【００２５】
なお、電子機器１００は、ＰＤＡ（Ｐｅｒｓｏｎａｌ  Ｄｉｇｉｔａｌ  Ａｓｓｉｓｔａｎｔ）、ノート型のパーソナルコンピュータ、携帯型電話機、電子辞書などの表示機能を有する携帯型デバイスとして構成される。
【００２６】
電子機器１００＃は、電子機器１００と同様の構成を有する。電子機器１００＃は、２つの光センサ内蔵液晶パネル１４０＃および２４０＃を備える。
【００２７】
電子機器１０は、光センサ内蔵液晶パネル１２を備える。ただし、電子機器１０は、電子機器１００および電子機器１００＃と異なり、画像を表示するモニタを１つしか有していない。本実施の形態では、電子機器１０は、スマートフォンなどの携帯型デバイスであるとする。ただし、電子機器１０は、携帯型デバイスに限られず、手書き入力を受付可能なモニタ（表示一体型タブレット）を備える機器であればよい。
【００２８】
電子機器２０は、モニタ２２を備える。本実施の形態では、電子機器２０は、ノートパソコンであるとする。ただし、電子機器２０は、ノートパソコンに限られず、モニタ２２を備える機器、例えばテレビなどであってもよい。なお、モニタ２２は、手書き入力を受け付けない表示装置であってもよいし、表示一体型タブレットであってもよい。
【００２９】
通信システム１内の各電子機器は、相互に通信可能である。たとえば、電子機器１００は、電子機器１００＃および電子機器１０と通信を行なう。電子機器１０は、電子機器１００と電子機器２０と通信を行なう。
【００３０】
なお、通信システム１は、図１に示した以外の電子機器を含んでいてもよい。また、通信システム１は、電子機器１００、１００＃、１０、２０の全てを含まなくてもよい。
【００３１】
＜ハードウェア構成について＞
次に、図２を参照して、電子機器１００の具体的構成の一態様について説明する。図２は、電子機器１００のハードウェア構成を表わすブロック図である。
【００３２】
電子機器１００は、第１ユニット１００１と、第２ユニット１００２とを含む。第２ユニット１００２は、電子機器１００から着脱可能に第１ユニット１００１に接続されている。第１ユニット１００１は、本体装置１０１と、表示装置１０２とを含む。第２ユニット１００２は、表示装置１０３と、本体装置１０４とを含む。
【００３３】
第１の筐体１００Ａは、表示装置１０２を含む。第２の筐体１００Ｂは、本体装置１０１を含む。また、第２の筐体１００Ｂは、第２ユニット１００２を含む。
【００３４】
（第１ユニットについて）
本体装置１０１は、ＣＰＵ（Central Processing Unit）１１０と、ＲＡＭ（Random Access Memory）１７１と、ＲＯＭ（Read-Only Memory）１７２と、メモリカードリーダライタ１７３と、外部通信部１７４と、マイク１７５と、スピーカ１７６と、操作キー１７７と、電源スイッチ１９１と、電源回路１９２と、電源検出部１９３と、ＵＳＢ（Universal Serial Bus）コネクタ１９４と、アンテナ１９５と、ＬＡＮ（Local Area Network）コネクタ１９６とを含む。各構成要素（１１０，１７１〜１７７，１９３）は、相互にデータバスＤＢ１によって接続されている。メモリカードリーダライタ１７３には、メモリカード１７３１が装着される。
【００３５】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable Programmable Read-Only Memory）やフラッシュメモリなどのデータの書込みおよび消去が可能なＲＯＭである。
【００３６】
外部通信部１７４は、他の電子機器と通信を行なう。具体的には、外部通信部１７４は、ＵＳＢコネクタ１９４を介して、たとえば第２ユニット１００２と通信を行なう。また、外部通信部１７４は、アンテナ１９５を介して、たとえば第２ユニット１００２と無線通信を行なう。さらに、外部通信部１７４は、ＬＡＮコネクタ１９６を介して、他の電子機器との間で有線通信を行なう。
【００３７】
なお、本体装置１０１は、Ｂｌｕｅｔｏｏｔｈ（登録商標）以外の無線通信により、他の電子機器と通信を行なってもよい。たとえば、外部通信部１７４は、図示しない無線ＬＡＮアンテナを介して、ＬＡＮに接続された他の電子機器との間で無線通信を行なってもよい。あるいは、図示しない赤外線ポートを介して、他の電子機器との間で無線通信を行なってもよい。
【００３８】
電源スイッチ１９１は、電子機器１００を起動させるためのスイッチである。
電源スイッチ１９１がオンすると、電源回路１９２は、電源検出部１９３を介して、データバスＤＢ１に接続されている各構成要素と表示装置１０２とに電力を供給する。また、電源スイッチ１９１がオンすると、電源回路１９２は、電源検出部１９３を介することなく、外部通信部１７４に電力を供給する。
【００３９】
電源検出部１９３は、電源回路１９２からの出力を検出する。また、電源検出部１９３は、当該検出した出力に関する情報（たとえば、電圧値や電流値）を、ＣＰＵ１１０に送る。
【００４０】
ＵＳＢコネクタ１９４は、第１ユニット１００１を第２ユニット１００２に接続するために用いられる。なお、本体装置１０１は、ＵＳＢコネクタ１９４に加えて他のＵＳＢコネクタを備えていてもよい。
【００４１】
第１ユニット１００１は、ＵＳＢコネクタ１９４を介して、第２ユニット１００２にデータを送信する。また、第１ユニット１００１は、ＵＳＢコネクタ１９４を介して、第２ユニット１００２からデータを受信する。さらに、第１ユニット１００１は、ＵＳＢコネクタ１９４を介して、第２ユニット１００２に電力を供給する。
【００４２】
アンテナ１９５は、第１ユニット１００１と、他の通信装置（たとえば第２ユニット１００２）との間における、Ｂｌｕｅｔｏｏｔｈ（登録商標）の規格に沿った通信に用いられる。ＬＡＮコネクタ１９６は、電子機器１００をＬＡＮに接続するために用いられる。
【００４３】
表示装置１０２は、ドライバ１３０と、光センサ内蔵液晶パネル１４０（以下、液晶パネル１４０と称する）と、内部ＩＦ１７８と、バックライト１７９と、画像処理エンジン１８０とを含む。
【００４４】
ドライバ１３０は、液晶パネル１４０およびバックライト１７９を駆動するための駆動回路である。ドライバ１３０に含まれる各種の駆動回路については、後述する。
【００４５】
液晶パネル１４０は、液晶ディスプレイの機能と光センサの機能とを備えたデバイスである。つまり、液晶パネル１４０は、液晶を用いた画像の表示と、光センサを用いたセンシングとを行うことができる。液晶パネル１４０の詳細については、後述する。
【００４６】
内部ＩＦ（Interface）１７８は、本体装置１０１と表示装置１０２との間で、データの遣り取りを仲介する。
【００４７】
バックライト１７９は、液晶パネル１４０の裏面に配置された光源である。バックライト１７９は、当該裏面に対して均一な光を照射する。
【００４８】
画像処理エンジン１８０は、ドライバ１３０を介して液晶パネル１４０の動作を制御する。ここで、当該制御は、内部ＩＦ１７８を介して本体装置１０１から送られてくる各種データに基づいて行われる。なお、当該各種データは、後述するコマンドを含む。また、画像処理エンジン１８０は、液晶パネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【００４９】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【００５０】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行う。そして、信号処理部１８３は、上記データ処理を行った後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【００５１】
上記コマンドは、上記光センサによりセンシングを指示するセンシングコマンドを含む。当該センシングコマンドの詳細および上記応答データの詳細については、後述する（図７，図８，および図１４）。
【００５２】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に備える構成ではなく、電子機器１００の実施例によっては、マイク１７５およびスピーカ１７６のいずれかあるいは両方を有さない構成であってもよい。
【００５３】
ここで、表示装置１０２は、システム液晶を含んでいる。なお、システム液晶とは、液晶パネル１４０の周辺機器を当該液晶パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、液晶パネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【００５４】
（第２ユニットについて）
第２ユニット１００２は、第１ユニット１００１から電力の供給を受ける。具体的には、後述するＵＳＢコネクタ２９４と第１ユニット１００１のＵＳＢコネクタ１９４とを接続することにより、第２ユニット１００２は、第１ユニット１００１の電源回路１９２から電力の供給を受ける。
【００５５】
本体装置１０４は、ＣＰＵ２１０と、ＲＡＭ２７１と、ＲＯＭ２７２と、外部通信部２７４と、電源検出部２９３と、ＵＳＢコネクタ２９４と、アンテナ２９５と、信号強度検出部２９７とを含む。各構成要素（２１０，２７１，２７２，２７４，２９３）は、相互にデータバスＤＢ２によって接続されている。
【００５６】
ＣＰＵ２１０は、プログラムを実行する。ＲＡＭ２７１は、ＣＰＵ２１０によるプログラムの実行により生成されたデータを揮発的に格納する。ＲＯＭ２７２は、データを不揮発的に格納する。また、ＲＯＭ２７２は、ＥＰＲＯＭ（Erasable Programmable Read-Only Memory）やフラッシュメモリなどのデータの書込みおよび消去が可能なＲＯＭである。
【００５７】
外部通信部２７４は、他の電子機器との間で通信を行なう。具体的には、外部通信部２７４は、ＵＳＢコネクタ２９４を介して、たとえば第１ユニット１００１と通信を行なう。また、外部通信部２７４は、アンテナ２９５を介して、たとえば第１ユニット１００１と通信を行なう。
【００５８】
なお、本体装置１０４は、Ｂｌｕｅｔｏｏｔｈ（登録商標）以外の無線通信により、他の電子機器（たとえば、第１ユニット１００１）と通信を行なってもよい。たとえば、外部通信部２７４は、図示しない赤外線ポートを介して、他の電子機器との間で無線通信を行なってもよい。
【００５９】
信号強度検出部２９７は、アンテナ２９５を介して受信した信号についての強度を検出する。そして、信号強度検出部２９７は、検出した強度を外部通信部２７４に送る。
【００６０】
ＵＳＢコネクタ２９４は、第２ユニット１００２を第１ユニット１００１に接続するために用いられる。
【００６１】
第２ユニット１００２は、ＵＳＢコネクタ２９４を介して、第１ユニット１００１にデータを送信する。また、第２ユニット１００２は、ＵＳＢコネクタ２９４を介して、第１ユニット１００１からデータを受信する。さらに、第２ユニット１００２は、上述したように、ＵＳＢコネクタ２９４を介して、第１ユニット１００１から電力の供給を受ける。なお、第２ユニット１００２は、第１ユニット１００１から供給された電力を、図示しないバッテリに蓄電する。
【００６２】
アンテナ２９５は、第２ユニット１００２と、たとえば第１ユニット１００１との間における、Ｂｌｕｅｔｏｏｔｈ（登録商標）の規格に沿った通信に用いられる。
【００６３】
電源検出部２９３は、ＵＳＢコネクタ２９４を介して給電された電力を検出する。また、電源検出部２９３は、当該検出した電力についての情報を、ＣＰＵ２１０に送る。
【００６４】
また、本体装置１０４は、赤外線通信を行なう機能を備えていてもよい。
表示装置１０３は、ドライバ２３０と、光センサ内蔵液晶パネル２４０（以下、「液晶パネル２４０」と称する）と、内部ＩＦ２７８と、バックライト２７９と、画像処理エンジン２８０とを含む。画像処理エンジン２８０は、ドライバ制御部２８１と、タイマ２８２と、信号処理部２８３とを含む。
【００６５】
表示装置１０３は、表示装置１０２と同様な構成を有する。つまり、ドライバ２３０、液晶パネル２４０、内部ＩＦ２７８、バックライト２７９、および画像処理エンジン２８０は、表示装置１０２における、ドライバ１３０、液晶パネル１４０、内部ＩＦ１７８、バックライト１７９、画像処理エンジン１８０と同じ構成をそれぞれ有する。ドライバ制御部２８１、タイマ２８２、および信号処理部２８３は、表示装置１０２における、ドライバ制御部１８１、タイマ１８２、信号処理部１８３と同じ構成をそれぞれ有する。したがって、表示装置１０３に含まれる各機能ブロックについての説明は、繰り返さない。
【００６６】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【００６７】
図２に示される電子機器１００の本体装置１０１を構成する各構成要素は、一般的なものである。したがって、本発明の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【００６８】
なお、記憶媒体としては、メモリカードに限られず、ＣＤ−ＲＯＭ、ＦＤ（Flexible  Disk）、ハードディスク、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを除く）、光カード、マスクＲＯＭ、ＥＰＲＯＭ、ＥＥＰＲＯＭ（Electronically Erasable Programmable Read-Only Memory）、フラッシュＲＯＭなどの半導体メモリ等の固定的にプログラムを格納する媒体でもよい。
【００６９】
ここでいうプログラムとは、ＣＰＵにより直接実行可能なプログラムだけでなく、ソースプログラム形式のプログラム、圧縮処理されたプログラム、暗号化されたプログラム等を含む。
【００７０】
＜光センサ内蔵液晶パネルの構成および駆動について＞
次に、液晶パネル１４０の構成と、当該液晶パネル１４０の周辺回路の構成とについて説明する。図３は、液晶パネル１４０の構成と、当該液晶パネル１４０の周辺回路とを示した図である。
【００７１】
図３を参照して、液晶パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【００７２】
また、図２に示した表示装置１０２のドライバ１３０は、液晶パネル１４０の周辺回路として、走査信号線駆動回路１３１と、データ信号線駆動回路１３２と、光センサ駆動回路１３３と、スイッチ１３４と、アンプ１３５とを含む。
【００７３】
走査信号線駆動回路１３１は、図２に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin Film Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【００７４】
データ信号線駆動回路１３２は、図２に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【００７５】
なお、ここでは、いわゆる線順次方式と呼ばれる駆動方式を用いて説明したが、駆動方式はこれに限定されるものではない。
【００７６】
画素回路１４１は、１つの画素の輝度（透過率）を設定するための回路である。また、画素回路１４１は、マトリクス状にｍ×ｎ個配されている。より詳しくは、画素回路１４１は、図３の縦方向にｍ個、横方向にｎ個配されている。
【００７７】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【００７８】
なお、ｎ型のトランジスタとｐ型のトランジスタとを作れるＣＭＯＳ（Complementary Metal Oxide Semiconductor）を実現できること、キャリア（電子または正孔）の移動速度がアモルファスシリコン薄膜トランジスタ（a-Si TFT）に比べて数百倍早いことなどから、表示装置１０２では、ＴＦＴ１４２として多結晶シリコン薄膜トランジスタ(p-Si TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【００７９】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【００８０】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【００８１】
光センサ駆動回路１３３は、図２に示すドライバ制御部１８１から制御信号ＴＣ２を受ける。
【００８２】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【００８３】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【００８４】
なお、電圧ＶＤＤＲを印加するタイミング、および電圧ＶＤＤを印加するタイミングについては、後述する。
【００８５】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【００８６】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【００８７】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【００８８】
スイッチ１３４は、センサ信号線（ＳＤ１〜ＳＤｎ）に対して、予め定められた電圧を印加するか否かを切り換えるために設けられたスイッチである。スイッチ１３４の切り換え動作は、光センサ駆動回路１３３により行われる。なお、スイッチ１３４が導通状態となった場合にセンサ信号線（ＳＤ１〜ＳＤｎ）に印加される電圧については、後述する。
【００８９】
アンプ１３５は、各センサ信号線（ＳＳ１〜ＳＳｎ）から出力された電圧を増幅する。なお、増幅された電圧は、図２に示した信号処理部１８３に送られる。
【００９０】
なお、画素回路１４１を用いて画像を液晶パネル１４０に表示させるタイミングと、光センサ回路１４４を用いてセンシングするタイミングとについては、画像処理エンジン１８０が制御する。
【００９１】
図４は、液晶パネル１４０とバックライト１７９との断面図である。図４を参照して、液晶パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【００９２】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図４には示していないが、アクティブマトリクス基板１５１Ａは、図３に示した、コンデンサ１４６と、ＴＦＴ１４７と、ＴＦＴ１４２と、走査信号線Ｇｉとを含む。
【００９３】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【００９４】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【００９５】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【００９６】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【００９７】
液晶パネル１４０は、外光やバックライト１７９などの光源により発せられた光を遮ったり又は当該光を透過させたりすることによって、画像の表示をする。具体的には、液晶パネル１４０は、画素電極１４３ａと対向電極１４３ｂとの間に電圧を印加することにより液晶層１５２の液晶分子の向きを変化させ、上記光を遮ったり、あるいは透過させる。ただし、液晶だけでは光を完全に遮ることができないため、特定の偏光方向の光のみを透過させる偏光フィルタ１６１を配置している。
【００９８】
なお、フォトダイオード１４５の位置は、上記の位置に限定されるものではなく、カラーフィルタ１５３ｒに対向する位置やカラーフィルタ１５３ｇに対向する位置に設けることも可能である。
【００９９】
ここで、光センサ回路１４４の動作について説明する。図５は、光センサ回路１４４を動作させる際のタイミングチャートを示した図である。図５において、電圧ＶＩＮＴは、光センサ回路１４４内のノードＮにおける電位を示している。また、電圧ＶＰＩＸは、図３に示したセンサ信号線ＳＳｊからの出力電圧であって、アンプ１３５によって増幅される前の電圧を示している。
【０１００】
以下では、光センサ回路１４４をリセットするためのリセット期間と、光センサ回路１４４を用いて光をセンシングするためのセンシング期間と、センシングした結果を読み出す読出期間とに分けて説明する。
【０１０１】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り換える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【０１０２】
ＶＩＮＴ＝ＶＳＳＲ＋｜ＶＤＤＲ−ＶＳＳＲ｜−Ｖｆ  …  （１）
それゆえ、ノードＮの電位は、図５に示すとおり、電圧ＶＤＤＲよりもＶｆだけ小さな値となる。
【０１０３】
ここで、電圧ＶＩＮＴは、ＴＦＴ１４７のゲートをターンオンさせる閾値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【０１０４】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り換わる。一方、読出信号線ＲＷｉに印加する電圧は、ローレベル（電圧ＶＳＳＲ）のままとする。
【０１０５】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図５に示すとおり、ノードＮの電位（つまり、電圧ＶＩＮＴ）は時間の経過とともに低くなる。
【０１０６】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【０１０７】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り換わる。ここで、電圧ＶＤＤは、電圧ＶＤＤＲよりも高い値である。
【０１０８】
このように、読出信号線ＲＷｉにハイレベルの電圧を瞬間的に印加することにより、図５に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【０１０９】
この際、ＴＦＴ１４７のドレイン側に接続されたセンサ信号線ＳＤｊ（図３参照）に予め一定電圧を印加しておけば、ＴＦＴ１４７のソース側に接続されたセンサ信号線ＳＳｊからは、図５のＶＰＩＸのグラフに示すとおり、ノードＮの電位に応じた電圧が出力される。
【０１１０】
ここで、フォトダイオード１４５が受光する光の量（以下、受光量と称する）が少ないと、図５のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【０１１１】
ところで、上記においては、ｍ×ｎ個存在する光センサ回路のうち、１つの光センサ回路１４４に着目して、その動作を説明した。以下では、液晶パネル１４０における各光センサ回路の動作について説明する。
【０１１２】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図３における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【０１１３】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【０１１４】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【０１１５】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【０１１６】
なお、表示装置１０２においては、上記のように行毎にセンシングが行われるとともに、行毎にセンシング結果が液晶パネル１４０から出力される。このため、以下では、液晶パネル１４０から出力される１行目からｍ行目までのｍ行分の電圧に関するデータに対して、信号処理部１８３が上述したデータ処理を行った後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【０１１７】
また、上記においては、ｍ×ｎ個の光センサ回路全てを用いてスキャンを行う構成を例に挙げたが、これに限定されるものではない。予め選択された光センサ回路を用いて、液晶パネル１４０の表面の一部の領域に関してスキャンを行うことも構成としてもよい。
【０１１８】
以下では、電子機器１００が、両構成のいずれの構成をも採れるものとする。さらに、当該構成間の切り換えは、操作キー１７７を介した入力などに基づく本体装置１０１から送られてくるコマンドにより行われるものとする。なお、液晶パネル１４０の表面の一部の領域に関してスキャンを行う場合、画像処理エンジン１８０が、スキャン対象領域の設定を行う。なお、当該領域の設定を、操作キー１７７を介してユーザが指定できる構成としてもよい。
【０１１９】
このように、液晶パネル１４０の表面の一部の領域に関してスキャンを行う場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【０１２０】
図６は、液晶パネル１４０とバックライト１７９との断面図であって、スキャンの際にフォトダイオード１４５がバックライト１７９からの光を受光する構成を示した図である。
【０１２１】
図６を参照して、ユーザの指９００が液晶パネル１４０の表面に接触している場合、バックライト１７９から発せられた光の一部は、当該接触している領域ではユーザの指９００（略平面）にて反射される。そして、フォトダイオード１４５は、当該反射された光を受光する。
【０１２２】
また、指９００が接触していない領域においても、バックライト１７９から発せられた光の一部は、ユーザの指９００にて反射される。この場合においても、フォトダイオード１４５は、当該反射された光を受光する。ただし、当該領域においては液晶パネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【０１２３】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１２４】
以上により、表示装置１０２は、指９００によって光が反射されることにより得られる像（以下、反射像とも称する）をスキャンすることができる。
【０１２５】
なお、指９００以外のスキャン対象物としては、スタイラスなどが挙げられる。
ところで、本実施の形態においては、電子機器１００の表示装置として液晶パネルを例に挙げて説明しているが、液晶パネルの代わりに有機ＥＬ（Electro-Luminescence）パネルなどの他のパネルを用いてもよい。
【０１２６】
＜データについて＞
次に、第１ユニット１００１と第２ユニット１００２との間でやり取りされるコマンド、および第１ユニット１００１内の本体装置１０１と表示装置１０２との間でやり取りされるコマンドについて説明する。
【０１２７】
図７は、コマンドの概略構成を示した図である。図７を参照して、コマンドは、ヘッダＤＡ０１と、第１フィールドＤＡ０２と、第２フィールドＤＡ０３と、第３フィールドＤＡ０４と、第４フィールドＤＡ０５と、第５フィールドＤＡ０６と、予備のデータ領域ＤＡ０７とを含む。
【０１２８】
図８は、種別「０００」のコマンド（つまり、センシングコマンド）を説明するための図である。ＣＰＵ１１０は、種別「０００」のコマンド（以下、「第１コマンド」と称する）を、第１ユニット１００１の本体装置１０１から第２ユニット１００２に送る。あるいは、ＣＰＵ１１０は、第１コマンドを、本体装置１０１から表示装置１０２に送る。なお、以下においては、ＣＰＵ１１０が第１コマンドを第１ユニット１００１の本体装置１０１から第２ユニット１００２に送る場合を例に挙げて説明する。
【０１２９】
ＣＰＵ１１０は、ヘッダＤＡ０１に、コマンドの種別（「０００」）、コマンドの送信先等を書き込む。ＣＰＵ１１０は、第１フィールドＤＡ０２に、番号が「１」のタイミングの値を書き込む。ＣＰＵ１１０は、第２フィールドＤＡ０３に、番号が「２」のデータ種別の値を書き込む。ＣＰＵ１１０は、第３フィールドＤＡ０４に、番号が「３」の読取方式の値を書き込む。ＣＰＵ１１０は、第４フィールドＤＡ０５に、番号が「４」の画像階調の値を書き込む。ＣＰＵ１１０は、第５フィールドＤＡ０６に、番号が「５」の解像度の値を書き込む。
【０１３０】
第１フィールドＤＡ０２に「００」が設定された第１コマンドは、画像処理エンジン２８０に対して、そのときのスキャンデータの送信を要求する。つまり、センシング第１コマンドは、当該第１コマンドを画像処理エンジン２８０が受信した後に、液晶パネル２４０の光センサ回路を用いてスキャンすることにより得られるスキャンデータの送信を要求する。また、第１フィールドＤＡ０２に「０１」が設定された第１コマンドは、スキャン結果に変化があったときのスキャンデータの送信を要求する。さらに、第１フィールドＤＡ０２に「１０」が設定された第１コマンドは、一定周期毎にスキャンデータの送信を要求する。
【０１３１】
第２フィールドＤＡ０３に「００１」が設定された第１コマンドは、部分画像における中心座標の座標値の送信を要求する。また、第２フィールドＤＡ０３に「０１０」が設定された第１コマンドは、スキャン結果が変化した部分画像のみの送信を要求する。なお、スキャン結果が変化したとは、前回のスキャン結果と今回のスキャン結果が異なっていることを指す。さらに、第２フィールドＤＡ０３に「１００」が設定された第１コマンドは、全体画像の送信を要求する。
【０１３２】
ここで、「全体画像」とは、ｍ×ｎ個の光センサ回路を用いてスキャンした際に、各光センサ回路から出力される電圧に基づいて、画像処理エンジン２８０により生成された画像である。また、「部分画像」とは、全体画像の一部である。部分画像に関して、スキャン結果が変化した部分画像のみの送信を要求する構成とした理由については後述する。
【０１３３】
なお、上記座標値と上記部分画像または上記全体画像とを同時に要求する構成としてもよい。また、液晶パネル２４０の表面の一部の領域に関してスキャンを行う構成の場合には、上記全体画像はスキャンが行われる領域に対応した画像となる。
【０１３４】
第３フィールドＤＡ０４に「００」が設定されたセンシング第１コマンドは、バックライト２７９を点灯してスキャンすることを要求する。また、第３フィールドＤＡ０４に「０１」が設定された第１コマンドは、バックライト２７９を消灯してスキャンすることを要求する。なお、バックライト２７９を消灯してスキャンする構成については後述する（図１７）。さらに、第３フィールドＤＡ０４に「１０」が設定された第１コマンドは、反射と透過とを併用してスキャンすることを要求する。なお、反射と透過とを併用するとは、バックライト２７９を点灯してスキャンする方式と、バックライトを消灯してスキャンする方式とを切り換えて、スキャン対象物のスキャンを行うことを指す。
【０１３５】
第４フィールドＤＡ０５に「００」が設定された第１コマンドは、白黒の２値の画像データを要求する。また、第４フィールドＤＡ０５に「０１」が設定された第１コマンドは、多階調の画像データを要求する。さらに、第４フィールドＤＡ０５に「１０」が設定された第１コマンドは、ＲＧＢのカラーの画像データを要求する。
【０１３６】
第５フィールドＤＡ０６に「０」が設定された第１コマンドは、解像度の高い画像データを要求する。また、第５フィールドＤＡ０６に「１」が設定された第１コマンドは、解像度の低い画像データを要求する。
【０１３７】
また、上記第１コマンドには、図８に示したデータ以外に、スキャンを行う領域（光センサ回路１４４を駆動する画素の領域）の指定、スキャンを行うタイミング、バックライト１７９の点灯のタイミングなどが記述されている。
【０１３８】
なお、画像処理エンジン２８０は、第１コマンドの内容を解析し、当該解析の結果に従ったデータ（つまり、応答データ）を本体装置１０１に送り返す。
【０１３９】
図９は、種別「００１」のコマンド（以下、「第２コマンド」と称する）を説明するための図である。ＣＰＵ１１０は、第２コマンドを、第１ユニット１００１の本体装置１０１から第２ユニット１００２に送る。
【０１４０】
ＣＰＵ１１０は、ヘッダＤＡ０１に、コマンドの種別（「００１」）、コマンドの送信先等を書き込む。ＣＰＵ１１０は、第１フィールドＤＡ０２に、番号が「１」の表示要求の値を書き込む。ＣＰＵ１１０は、第２フィールドＤＡ０３に、番号が「２」の個数／種類に関する情報を書き込む。ＣＰＵ１１０は、第３フィールドＤＡ０４に、番号が「３」の表示範囲の値を書き込む。ＣＰＵ１１０は、第４フィールドＤＡ０５に、番号が「４」の画像データに関する情報を書き込む。
【０１４１】
第１フィールドＤＡ０２に「００１」が設定された第２コマンドは、液晶パネル２４０（サブ画面）に画像を表示させることを画像処理エンジン２８０に対して要求する。また、第１フィールドＤＡ０２に「０１０」が設定された第２コマンドは、液晶パネル２４０にアイコンを表示させることを画像処理エンジン２８０に対して要求する。さらに、第１フィールドＤＡ０２に「０１１」が設定された第２コマンドは、液晶パネル２４０に手書領域を表示させることを画像処理エンジン２８０に対して要求する。
【０１４２】
第２フィールドＤＡ０３には、液晶パネル２４０に表示させる画像の個数、および手書言語の種類を指定する番号が格納される。画像処理エンジン２８０は、当該画像の個数、または言語の種類に応じた処理を行う。
【０１４３】
第３フィールドＤＡ０４に「０１」が設定された第２コマンドは、液晶パネル２４０における表示範囲を座標にて指定することを、画像処理エンジン２８０に対して要求する。また、第３フィールドＤＡ０４に「１０」が設定された第２コマンドは、液晶パネル２４０における表示範囲を表示領域の全体にすることを、画像処理エンジン２８０に対して要求する。
【０１４４】
第４フィールドＤＡ０５には、液晶パネル２４０に表示させる画像データと、当該画像データを表示する位置情報とが格納される。画像処理エンジン２８０は、当該位置情報で特定される位置に当該画像データを表示する処理を行う。
【０１４５】
図１０は、種別「０１０」のコマンド（以下、「第３コマンド」と称する）を説明するための図である。ＣＰＵ１１０は、第３コマンドを、第１ユニット１００１の本体装置１０１から第２ユニット１００２に送る。あるいは、ＣＰＵ２１０は、第３コマンドを、第２ユニット１００２の本体装置１０４から第１ユニット１００１に送る。
【０１４６】
ＣＰＵ１１０，２１０は、ヘッダＤＡ０１に、コマンドの種別（「０１０」）、コマンドの送信先等を書き込む。ＣＰＵ１１０，２１０は、第１フィールドＤＡ０２に、番号が「１」のＯＳ（Operating System）処理要求の値を書き込む。ＣＰＵ１１０，２１０は、第２フィールドＤＡ０３に、番号が「２」のＯＳ情報の値を書き込む。
【０１４７】
第１フィールドＤＡ０２に「０１」または「１０」が設定された第３コマンドは、第２ユニット１００２から第１ユニット１００１に送信される。
【０１４８】
第１フィールドＤＡ０２に「０１」が設定された第３コマンドは、第１ユニット１００１に対して、当該第１ユニット１００１（メイン装置）のＯＳの種類を示した情報の送信を要求する。また、第１フィールドＤＡ０２に「１０」が設定された第３コマンドは、第１ユニット１００１に対して、ＯＳ情報にて指定されたＯＳの起動を要求する。
【０１４９】
第２フィールドＤＡ０３に「０００」、「００１」、または「０１０」が設定された第３コマンドは、第２ユニット１００２から第１ユニット１００１に送信される。
【０１５０】
第２フィールドＤＡ０３に「０００」が設定された第３コマンドは、第１ユニット１００１におけるＯＳの起動を要求しない。また、第２フィールドＤＡ０３に「００１」が設定された第３コマンドは、第２ユニット１００２が第１ＯＳの起動を選択したことを示す。さらに、第２フィールドＤＡ０３に「０１０」が設定された第３コマンドは、第２ユニット１００２が第２ＯＳの起動を選択したことを示す。
【０１５１】
図１１は、種別「０１１」のコマンド（以下、「第４コマンド」と称する）を説明するための図である。ＣＰＵ２１０は、第４コマンドを、第２ユニット１００２の本体装置１０４から第１ユニット１００１に送る。
【０１５２】
ＣＰＵ２１０は、ヘッダＤＡ０１に、コマンドの種別（「０１１」）、コマンドの送信先等を書き込む。ＣＰＵ２１０は、第１フィールドＤＡ０２に、番号が「１」の起動アプリに関する情報を書き込む。ＣＰＵ２１０は、第２フィールドＤＡ０３に、番号が「２」の起動時情報を書き込む。
【０１５３】
第１フィールドＤＡ０２には、第１ユニット１００１において起動させるアプリを指定する情報が格納される。第２フィールドＤＡ０３には、起動設定時に用いる情報、および起動後に用いる情報が格納される。
【０１５４】
図１２は、種別「１００」のコマンド（以下、「第５コマンド」と称する）を説明するための図である。ＣＰＵ２１０は、第５コマンドを、第２ユニット１００２の本体装置１０４から第１ユニット１００１に送る。
【０１５５】
ＣＰＵ２１０は、ヘッダＤＡ０１に、コマンドの種別（「１００」）、コマンドの送信先等を書き込む。ＣＰＵ２１０は、第１フィールドＤＡ０２に、番号が「１」の受信要求に関する情報を書き込む。ＣＰＵ２１０は、第２フィールドＤＡ０３に、番号が「２」の個数に関する情報を書き込む。ＣＰＵ２１０は、第３フィールドＤＡ０４に、番号が「３」のファイルに関する情報を書き込む。
【０１５６】
第１フィールドＤＡ０２に「０１」が設定された第５コマンドは、第１ユニット１００１に対してファイルの受信を要求する。また、第２フィールドＤＡ０３には、第２ユニット１００２が第１ユニット１００１に送信するファイルの個数が格納される。さらに、第３フィールドＤＡ０４には、第２ユニット１００２が第１ユニット１００１に送信するファイルが格納される。
【０１５７】
図１３は、種別「１０１」のコマンド（以下、「第６コマンド」と称する）を説明するための図である。ＣＰＵ１１０は、第６コマンドを、第１ユニット１００１の本体装置１０１から第２ユニット１００２に送る。あるいは、ＣＰＵ２１０は、第６コマンドを、第２ユニット１００２の本体装置１０４から第１ユニット１００１に送る。
【０１５８】
ＣＰＵ１１０，２１０は、ヘッダＤＡ０１に、コマンドの種別（「１０１」）、コマンドの送信先等を書き込む。ＣＰＵ１１０，２１０は、第１フィールドＤＡ０２に、番号が「１」の通信種別の値を書き込む。ＣＰＵ１１０，２１０は、第２フィールドＤＡ０３に、番号が「２」の接続先の値を書き込む。ＣＰＵ１１０，２１０は、第３フィールドＤＡ０４に、番号が「３」の転送先の値を書き込む。ＣＰＵ１１０，２１０は、第４フィールドＤＡ０５に、番号が「４」の信号強度の取得タイミングの値を書き込む。
【０１５９】
第１フィールドＤＡ０２に「００１」が設定された第６コマンドは、相手側の装置に対して赤外線通信を行なうことを要求する。また、第１フィールドＤＡ０２に「０１０」が設定された第６コマンドは、相手側の装置に対してＢｌｕｅｔｏｏｔｈ（登録商標）による無線通信を行なうことを要求する。さらに、第１フィールドＤＡ０２に「０１１」が設定された第６コマンドは、相手側の装置に対してＬＡＮ通信を行なうことを要求する。
【０１６０】
第２フィールドＤＡ０３に「０００」が設定された第６コマンドは、通信の接続先を指定する情報を有していないことを示す。
【０１６１】
また、第２フィールドＤＡ０３に「００１」が設定された第６コマンドは、第１ユニット１００１によって、当該第１ユニット１００１の接続先の装置に送信される。そのような第６コマンドは、第１ユニット１００１が接続する装置に関する情報の送信を要求する。
【０１６２】
さらに、第２フィールドＤＡ０３に「０１０」が設定された第６コマンドは、第２ユニット１００２によって、当該第２ユニット１００２の接続先の第１ユニット１００１に送信される。そのような第６コマンドは、第２ユニット１００２が接続する第１ユニット１００１に関する情報の送信を要求する。
【０１６３】
また、第２フィールドＤＡ０３に「０１１」が設定された第６コマンドは、第２ユニット１００２によって、当該第２ユニット１００２の接続先の第１ユニット１００１に送信される。そのような第６コマンドは、第２ユニット１００２に関する情報を接続先の機器情報として設定することを要求する。
【０１６４】
さらに、第２フィールドＤＡ０３に「１００」が設定された第６コマンドは、第１ユニット１００１によって、当該第１ユニット１００１の接続先の装置（たとえば、第２ユニット１００２）に送信される。そのような第６コマンドは、第１ユニット１００１に関する情報を接続先の機器情報として設定することを要求する。
【０１６５】
第３フィールドＤＡ０４に「０００」が設定された第６コマンドは、データ（たとえば、ファイル）の転送先を指定する情報を有していないことを示す。
【０１６６】
また、第３フィールドＤＡ０４に「００１」が設定された第６コマンドは、第１ユニット１００１によって、データ転送先の装置に送信される。そのような第６コマンドは、データ転送先の装置に関する情報の送信を要求する。
【０１６７】
さらに、第３フィールドＤＡ０４に「０１０」が設定された第６コマンドは、第２ユニット１００２によって、データ転送先の第１ユニット１００１に送信される。そのような第６コマンドは、データ転送先の第１ユニット１００１に関する情報の送信を要求する。
【０１６８】
また、第３フィールドＤＡ０４に「０１１」が設定された第６コマンドは、第２ユニット１００２によって、データ転送先の第１ユニット１００１に送信される。そのような第６コマンドは、第２ユニット１００２に関する情報をデータ転送元の機器情報として設定することを要求する。
【０１６９】
さらに、第３フィールドＤＡ０４に「１００」が設定された第６コマンドは、第１ユニット１００１によって、データ転送先の装置（たとえば、第２ユニット１００２）に送信される。そのような第６コマンドは、第１ユニット１００１に関する情報をデータ転送元の機器情報として設定することを要求する。
【０１７０】
第４フィールドＤＡ０５に「００」、「０１」、「１０」、または「１１」が設定された第６コマンドは、第１ユニット１００１によって、第２ユニット１００２に送信される。
【０１７１】
第４フィールドＤＡ０５に「００」が設定された第６コマンドは、第２ユニット１００２に対して、信号強度を示したデータの送信を要求しない。また、第４フィールドＤＡ０５に「０１」が設定された第６コマンドは、信号強度検出部２９７に対して、そのときの信号強度を示したデータの送信を要求する。さらに、第４フィールドＤＡ０５に「１０」が設定された第６コマンドは、信号強度に変化があったときの信号強度を示したデータの送信を要求する。また、第４フィールドＤＡ０５に「１１」が設定された第６コマンドは、一定周期毎に信号強度を示したデータの送信を要求する。
【０１７２】
図１４は、応答データの概略構成を示した図である。応答データは、第１コマンド（センシングコマンド）の内容に応じたデータである。
【０１７３】
第１コマンドが本体装置１０１から第２ユニット１００２に送信された場合、ＣＰＵ２１０は、応答データを、表示装置１０３から第１ユニット１００１に送信する。また、第１コマンドが本体装置１０１から第１ユニット１００１の表示装置１０２に送信された場合、画像処理エンジン１８０は、応答データを、画像処理エンジン１８０から本体装置１０１に送信する。なお、以下では、第１コマンドが本体装置１０１から第２ユニット１００２に送信された場合を例に挙げて説明する。
【０１７４】
図１４を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン２８０のタイマ２８２から取得した時刻情報が書き込まれる。さらに、画像を示すデータ領域には、画像処理エンジン２８０により処理がされた後の画像データ（つまり、スキャンデータ）が書き込まれる。
【０１７５】
図１５は、指９００をスキャンすることにより得られた画像（つまり、スキャン画像）を示した図である。図１５を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１７６】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１７７】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行うことにより決定される。つまり、中心座標は、部分画像の図心とは必ずしも一致しない。
【０１７８】
ただし、必ずしも中心座標の位置は上記に限定されるものではなく、中心座標を上記図心の座標あるいは図心の近傍の座標としてもよい。
【０１７９】
第１コマンドのデータ種別を示すデータ領域に「００１」が設定されている場合には、画像処理エンジン２８０は、座標を示すデータ領域ＤＡ１２に上記中心座標の値を書き込む。この場合、画像処理エンジン２８０は、画像を示すデータ領域ＤＡ１４には画像データを書き込まない。画像処理エンジン２８０は、上記中心座標の値の書き込みを行なった後、当該中心座標の値を含む応答データを本体装置１０４に送る。本体装置１０４は、当該中心座標の値を含む応答データを第１ユニット１００１の本体装置１０１に送る。このように、データ種別を示すデータ領域に「００１」が設定されている場合には、第１コマンドは、画像データの出力を要求せずに、中心座標の値の出力を要求する。
【０１８０】
また、第１コマンドのデータ種別を示すデータ領域に「０１０」が設定されている場合には、画像処理エンジン２８０は、画像を示すデータ領域ＤＡ１４に、スキャン結果が変化した部分画像の画像データを書き込む。この場合、画像処理エンジン２８０は、中心座標の値を座標を示すデータ領域ＤＡ１２に書き込まない。画像処理エンジン２８０は、上記スキャン結果が変化した部分画像の画像データの書き込みを行なった後、当該部分画像の画像データを含む応答データを本体装置１０４に送る。本体装置１０４は、当該部分画像の画像データを含む応答データを第１ユニット１００１の本体装置１０１に送る。このように、データ種別を示すデータ領域に「０１０」が設定されている場合には、第１コマンドは、中心座標の値の出力を要求せずに、スキャン結果が変化した部分画像の画像データの出力を要求する。
【０１８１】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１８２】
また、第１コマンドのデータ種別を示すデータ領域に「０１１」が設定されている場合には、画像処理エンジン２８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン２８０は、当該中心座標の値と当該部分画像の画像データとを含む応答データを本体装置１０４に送る。本体装置１０４は、当該中心座標の値と当該部分画像の画像データとを含む応答データを第１ユニット１００１の本体装置１０１に送る。このように、データ種別を示すデータ領域に「０１１」が設定されている場合には、第１コマンドは、中心座標の値の出力と、スキャン結果が変化した部分画像の画像データの出力とを要求する。
【０１８３】
また、第１コマンドのデータ種別を示すデータ領域に「１００」が設定されている場合には、画像処理エンジン２８０は、図１４に示した応答データの画像を示すデータ領域ＤＡ１４に、全体画像の画像データを書き込む。この場合、画像処理エンジン２８０は、中心座標の値を座標を示すデータ領域ＤＡ１２に書き込まない。画像処理エンジン２８０は、上記全体画像の画像データの書き込みを行なった後、当該全体画像の画像データを含む応答データを本体装置１０４に送る。本体装置１０４は、当該全体画像の画像データを含む応答データを第１ユニット１００１の本体装置１０１に送る。このように、データ種別を示すデータ領域に「１００」が設定されている場合には、第１コマンドは、中心座標の値の出力を要求せずに、全体画像の画像データの出力を要求する。
【０１８４】
また、第１コマンドのデータ種別を示すデータ領域に「１０１」が設定されている場合には、画像処理エンジン２８０は、座標を示すデータ領域ＤＡ１２に中心座標の値を書き込むとともに、画像を示すデータ領域ＤＡ１４に全体画像の画像データを書き込む。その後、画像処理エンジン２８０は、当該中心座標の値と当該全体画像の画像データとを含む応答データを本体装置１０４に送る。本体装置１０４は、当該中心座標の値と当該全体画像の画像データとを含む応答データを第１ユニット１００１の本体装置１０１に送る。このように、データ種別を示すデータ領域に「１０１」が設定されている場合には、第１コマンドは、中心座標の値の出力と、全体画像の画像データの出力とを要求する。
【０１８５】
＜構成の第１の変形例について＞
ところで、液晶パネル１４０の構成は、図３に示した構成に限定されるものではない。以下では、図３とは異なる態様の液晶パネルについて説明する。
【０１８６】
図１６は、上記異なる態様である光センサ内蔵液晶パネル１４０Ａの回路図である。図１６を参照して、光センサ内蔵液晶パネル１４０Ａ（以下、液晶パネル１４０Ａと称する）は、１画素内に３つの光センサ回路（１４４ｒ，１４４ｇ，１４４ｂ）を含んでいる。このように液晶パネル１４０Ａが１画素内に３つの光センサ回路（１４４ｒ，１４４ｇ，１４４ｂ）を備える点において、液晶パネル１４０Ａは、１画素内に１つの光センサ回路を備える液晶パネル１４０と異なる。なお、光センサ回路１４４の構成と、３つの各光センサ回路（１４４ｒ，１４４ｇ，１４４ｂ）との構成は同じである。
【０１８７】
また、１画素内における３つのフォトダイオード（１４５ｒ，１４５ｇ，１４５ｂ）は、それぞれ、カラーフィルタ１５３ｒ、カラーフィルタ１５３ｇ、カラーフィルタ１５３ｂに対向する位置に配されている。それゆえ、フォトダイオード１４５ｒは赤色の光を受光し、フォトダイオード１４５ｇは緑色の光を受光し、フォトダイオード１４５ｂは青色の光を受光する。
【０１８８】
また、液晶パネル１４０は１画素内において１つの光センサ回路１４４しか含まないため、１画素内に配設されるＴＦＴ１４７用のデータ信号線は、センサ信号線ＳＳｊとセンサ信号線ＳＤｊとの２本であった。しかしながら、液晶パネル１４０Ａは１画素内において３つの光センサ回路（１４４ｒ，１４４ｇ，１４４ｂ）を含むため、１画素内に配設されるＴＦＴ（１４７ｒ，１４７ｇ，１４７ｂ）用のデータ信号線は６本となる。
【０１８９】
具体的には、カラーフィルタ１５３ｒに対向する位置に配されたフォトダイオード１４５ｒのカソードに接続されたＴＦＴ１４７ｒに対応して、センサ信号線ＳＳＲｊとセンサ信号線ＳＤＲｊとが配設される。また、カラーフィルタ１５３ｇに対向する位置に配されたフォトダイオード１４５ｇのカソードに接続されたＴＦＴ１４７ｇに対応して、センサ信号線ＳＳＧｊとセンサ信号線ＳＤＧｊとが配設される。さらに、カラーフィルタ１５３ｂに対向する位置に配されたフォトダイオード１４５ｂのカソードに接続されたＴＦＴ１４７ｂに対応して、センサ信号線ＳＳＢｊとセンサ信号線ＳＤＢｊとが配設される。
【０１９０】
このような液晶パネル１４０Ａにおいては、バックライト１７９から照射された白色光は、３つのカラーフィルタ（１５３ｒ，１５３ｇ，１５３ｂ）を透過し、液晶パネル１４０Ａの表面では、赤、緑、および青とが混ざり白色光となる。ここで、スキャン対象物により白色光が反射されると、スキャン対象物の表面の色素に白色光の一部が吸収され、また一部が反射される。そして、反射された光は、再度、３つのカラーフィルタ（１５３ｒ，１５３ｇ，１５３ｂ）を透過する。
【０１９１】
この際、カラーフィルタ１５３ｒは赤色の波長の光を透過し、フォトダイオード１４５ｒは、当該赤色の波長の光を受光する。また、カラーフィルタ１５３ｇは緑色の波長の光を透過し、フォトダイオード１４５ｇは、当該緑色の波長の光を受光する。また、カラーフィルタ１５３ｂは青色の波長の光を透過し、フォトダイオード１４５ｂは、当該青色の波長の光を受光する。つまり、スキャン対象物によって反射された光は３つのカラーフィルタ（１５３ｒ，１５３ｇ，１５３ｂ）によって３原色（Ｒ，Ｇ，Ｂ）に色分解され、各フォトダイオード（１４５ｒ，１４５ｇ，１４５ｂ）は、それぞれに対応した色の光を受光する。
【０１９２】
スキャン対象物の表面の色素に白色光の一部が吸収されると、各フォトダイオード（１４５ｒ，１４５ｇ，１４５ｂ）の受光量が各フォトダイオード（１４５ｒ，１４５ｇ，１４５ｂ）で異なることになる。このため、センサ信号線ＳＳＲｊとセンサ信号線ＳＳＧｊとセンサ信号線ＳＳＢｊとの出力電圧は互いに異なる。
【０１９３】
それゆえ、各出力電圧に応じて、Ｒの階調とＧの階調とＢの階調とを画像処理エンジン１８０が決定することにより、画像処理エンジン１８０はＲＧＢのカラー画像を本体装置１０１へ送ることができる。
【０１９４】
以上述べたように、電子機器１００が液晶パネル１４０Ａを備えた構成とすることにより、スキャン対象物をカラーでスキャンできることになる。
【０１９５】
次に、図１７を参照して、前述のスキャンの方法（つまり、図６における反射像をスキャンする方法）とは異なるスキャンの方法について説明する。
【０１９６】
図１７は、スキャンの際にフォトダイオードが外光を受光する構成を示した断面図である。同図に示すとおり、外光の一部は、指９００によって遮られる。それゆえ、指９００と接触している液晶パネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０１９７】
ここで、バックライト１７９を、少なくともセンシング期間においては消灯させておくことにより、光センサ回路１４４は、液晶パネル１４０の表面に対する指９００の位置に応じた電圧をセンサ信号線ＳＳｊから出力することができる。このように、バックライト１７９を点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１９８】
以上により、表示装置１０２は、指９００によって外光が遮られることにより得られる像（以下、影像とも称する）をスキャンすることができる。
【０１９９】
さらに、表示装置１０２を、バックライト１７９を点灯させてスキャンを行った後に、バックライト１７９を消灯させて再度スキャンを行う構成としてもよい。あるいは、表示装置１０２を、バックライト１７９を消灯させてスキャンを行った後に、バックライト１７９を点灯させて再度スキャンを行う構成としてもよい。
【０２００】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０２０１】
＜表示装置について＞
表示装置１０３の動作は、表示装置１０２の動作と同様、本体装置１０１からのコマンド（たとえば、第１コマンド）に応じて制御される。表示装置１０３は表示装置１０２と同様な構成を有する。それゆえ、表示装置１０３が表示装置１０２と同じコマンドを本体装置１０１から受け付けた場合、表示装置１０３は表示装置１０２と同様の動作を行う。このため、表示装置１０３の構成や動作についての説明は繰り返さない。
【０２０２】
なお、本体装置１０１は、表示装置１０２と表示装置１０３とに対して、命令が異なるコマンドを送ることができる。この場合、表示装置１０２と表示装置１０３とは別々の動作を行う。また、本体装置１０１は、表示装置１０２および表示装置１０３のいずれかに対して、コマンドを送ってもよい。この場合、一方の表示装置のみがコマンドに応じた動作を行う。また、本体装置１０１が、表示装置１０２と表示装置１０３とに命令が同じコマンドを送ってもよい。この場合、表示装置１０２と表示装置１０３とは、同じ動作を行う。
【０２０３】
なお、表示装置１０２の液晶パネル１４０のサイズと表示装置１０３の液晶パネル２４０のサイズとは、同じであってもよいし又は異なっていてもよい。また、液晶パネル１４０の解像度と液晶パネル２４０の解像度とは、同じであってもよいし又は異なっていてもよい。
【０２０４】
＜構成の第２の変形例について＞
本実施の形態では、電子機器１００が、液晶パネル１４０と液晶パネル２４０といったそれぞれに光センサを内蔵した液晶パネルを備える構成について説明するが、一方の液晶パネルのみが光センサを内蔵している構成であってもよい。
【０２０５】
図１８は、電子機器１３００のハードウェア構成を表すブロック図である。電子機器１３００は、電子機器１００と同様、第１の筐体１００Ａと、第２の筐体１００Ｂとを含む。また、図１８を参照して、電子機器１３００は、第１ユニット１００１Ａと、第２ユニット１００２とを含む。第１ユニット１００１Ａは、本体装置１０１と、表示装置１０２Ａとを含む。第２ユニット１００２は、本体装置１０４と、表示装置１０３とを含む。
【０２０６】
表示装置１０２Ａは、光センサを内蔵しない液晶パネル（つまり、表示機能のみを有する液晶パネル）を含む。電子機器１３００は、第１ユニット１００１Ａが光センサを内蔵しない液晶パネルを含む点で、第１ユニット１００１が光センサを内蔵した液晶パネル２４０を含む電子機器１００と異なる。このような電子機器１３００は、第２ユニット１００２の表示装置１０３を用いて上述したセンシングを行なう。
【０２０７】
また、第１ユニット１００１は、光センサを内蔵した液晶パネル１４０の代わりに、たとえば抵抗膜方式や静電容量方式のタッチパネルを備えてもよい。
【０２０８】
また、本実施の形態では、表示装置１０２がタイマ１８２を備え、表示装置１０３がタイマ２８２を備える構成として説明するが、表示装置１０２と表示装置１０３とが１つのタイマを共有する構成としてもよい。
【０２０９】
また、本実施の形態では、電子機器１００を折畳型の機器として説明するが、電子機器１００は必ずしも折畳型に限定されるものではない。たとえば、電子機器１００は、第１の筐体１００Ａが第２の筐体１００Ｂに対してスライドする構成のスライド式の機器であってもよい。
【０２１０】
本実施の形態に係る電子機器１００は、上記のように構成されているため、第２ユニット１００２が、ＵＳＢコネクタ１９４，２９４を介して第１ユニット１００１に着脱自在になっている。
【０２１１】
そして、本実施の形態に係る電子機器１００は、たとえば電源投入時において、以下のような機能を発揮することができる。まず、ユーザが第１ユニット１００１の電源スイッチ１９１を押下すると、第１ユニット１００１は電源回路１９２からの電力を利用することによってＢＩＯＳ（Basic Input/Output System）を起動させる。
【０２１２】
第２ユニット１００２は、ＵＳＢコネクタ１９４，２９４を介して第１ユニット１００１から電力を取得する。第２ユニット１００２は、当該電力を利用することによって、第１ユニット１００１との間でデータを送受信することができる。このとき、第２ユニット１００２のＣＰＵ２１０は、ＵＳＢコネクタ１９４，２９４からの電力を使用することによって、液晶パネル２４０にＯＳ（Operation System）の種類を選択可能に表示させることができる。
【０２１３】
ユーザは、液晶パネル２４０を介して、起動したいＯＳを選択する。ＣＰＵ２１０は、ユーザの選択に応じ、ＵＳＢコネクタ１９４，２９４を介して第１ユニット１００１へと、起動すべきＯＳを指定するコマンド（たとえば、図１０に示す「第１のＯＳ」コマンド）を送信する。第１ユニット１００１は、当該コマンドに応じて、ＯＳを起動する。
【０２１４】
また、たとえば、第２ユニット１００２は、アンテナ２９５を介して外部の携帯電話などとの間でデータの送受信を行う。第２ユニット１００２のＣＰＵ２１０は、アンテナ２９５を介して、外部の携帯電話から写真画像データや対応するサムネイルデータを取得して、当該写真画像データや対応するサムネイルデータをＲＡＭ２７１などに格納する。ＣＰＵ２１０は、ＲＡＭ２７１からサムネイルデータを読み出して、液晶パネル２４０に写真のサムネイル画像を選択可能に表示させる。
【０２１５】
そして、外部からの選択命令に応じて、ＣＰＵ２１０は、液晶パネル２４０に写真画像を表示させる。あるいは、ＣＰＵ２１０は、ＵＳＢコネクタ２９４を介して、写真画像を液晶パネル１４０あるいは表示装置１０２Ａに表示させる。
【０２１６】
＜機能的構成＞
図１９は、本実施の形態に係る通信システム１の機能的構成を示すブロック図である。以下、図１９を参照して、通信システム１の機能的構成について説明する。通信システム１は、既に説明したように、電子機器１００、１００＃、１０、２０を含む。
【０２１７】
（電子機器１００，１００＃）
電子機器１００は、すでに説明したように、第１ユニット１００１と、第２ユニット１００２とを備える。
【０２１８】
第１ユニット１００１は、入力部３１０と、表示部３２０と、記憶部３３０と、外部通信部１７４と、内部インターフェース（Ｉ／Ｆ）部３４０と、制御部３５０とを含む。
【０２１９】
入力部３１０は、外部からの指示を受け付ける。本実施の形態では、操作キー１７７が入力部３１０の機能を果たす。また、光センサを内蔵する液晶パネル１４０も入力部３１０の機能を果たす。
【０２２０】
表示部３２０は、第１ユニット１００１内部の情報を外部に出力する。本実施の形態では、液晶パネル１４０が、表示部３２０の機能を果たす。ただし、表示部３２０としては、他の表示装置、例えば、ＬＣＤ（Ｌｉｑｕｉｄ  Ｃｒｙｓｔａｌ  Ｄｉｓｐｌａｙ）などのディスプレイを用いてもよい。
【０２２１】
記憶部３３０は、表示データ３３２などの情報を格納する。他に記憶部３３０は、第１ユニット１００１の動作のためのプログラムなどを格納する。
【０２２２】
外部通信部１７４は、他の電子機器との間で情報のやり取りを行なう。外部通信部１７４については、すでに説明しているので、その詳細な説明は繰り返さない。
【０２２３】
内部Ｉ／Ｆ部３４０は、第２ユニット１００２側の内部Ｉ／Ｆ部４４０との間で情報の授受を行なう。本実施の形態では、第１ユニット１００１と第２ユニット１００２が直接接続されている場合、ＵＳＢコネクタ１９４が内部Ｉ／Ｆ部３４０として機能する。第１ユニット１００１と第２ユニット１００２が直接接続されていない場合、アンテナ１９５が内部Ｉ／Ｆ部３４０として機能する。ただし、内部Ｉ／Ｆ部３４０による情報の授受方法は、これに限られるわけではない。
【０２２４】
制御部３５０は、入力部３１０が受け付けた指示等に基づいて、表示部３２０、記憶部３３０、外部通信部１７４、および、内部Ｉ／Ｆ部３４０の動作を制御する。
【０２２５】
制御部３５０は、表示制御部３５２と、添付データ作成部３５４とを含む。表示制御部３５２は、表示データ３３２に基づく画像を表示部３２０に表示させる。添付データ作成部３５４は、入力部３１０が受け付けた指示等に応じて、添付データを作成する。添付データの詳細については後述する。また、添付データ作成部３５４は、内部Ｉ／Ｆ部３４０を制御し、第２ユニット１００２に向けて添付データを送る。
【０２２６】
第２ユニット１００２は、入力部４１０と、表示部４２０と、記憶部４３０と、外部通信部２７４と、内部Ｉ／Ｆ部４４０と、制御部４５０とを含む。
【０２２７】
入力部４１０は、外部からの指示を受け付ける。表示部４２０は、第２ユニット１００２内部の情報を外部に表示する。本実施の形態では、光センサ内蔵液晶パネル２４０およびバックライト２７９が、入力部４１０および表示部４２０の機能を果たす。ただし、他の表示装置、例えば、ＬＣＤ（Ｌｉｑｕｉｄ  Ｃｒｙｓｔａｌ  Ｄｉｓｐｌａｙ）などのディスプレイと、多点入力可能な入力デバイスとを組み合わせたものを光センサ内蔵液晶パネル２４０のかわりに用いることもできる。光センサ内蔵液晶パネル２４０は、表示一体型タブレットの一例である。
【０２２８】
記憶部４３０は、光センサ内蔵液晶パネル２４０に表示する表示データ４３２、および、添付データ作成部３５４が作成した添付データ４３４などの情報を格納する。表示データ４３２は、光センサ内蔵液晶パネル２４０が受け付けた入力に対応する入力パターン４３３を含む。入力パターン４３３は、例えば、ユーザの手書き文字や手書き図形などを含む。
【０２２９】
外部通信部２７４は、他の電子機器との間で情報のやり取りを行なう。外部通信部２７４については、すでに説明しているので、その詳細な説明は繰り返さない。
【０２３０】
内部Ｉ／Ｆ部４４０は、第１ユニット１００１側の内部Ｉ／Ｆ部３４０との間で情報の授受を行なう。本実施の形態では、第１ユニット１００１と第２ユニット１００２とが直接接続されている場合、ＵＳＢコネクタ２９４が内部Ｉ／Ｆ部４４０として機能する。第１ユニット１００１と第２ユニット１００２が直接接続されていない場合、アンテナ２９５が内部Ｉ／Ｆ部４４０として機能する。ただし、内部Ｉ／Ｆ部４４０による情報の授受方法は、これに限られるわけではない。
【０２３１】
制御部４５０は、入力部４１０が受け付けた指示等に基づいて、表示部４２０、記憶部４３０、外部通信部２７４、および、内部Ｉ／Ｆ部４４０の動作を制御する。制御部４５０は、表示制御部４５２と、転送制御部４５４とを含む。
【０２３２】
表示制御部４５２は、液晶パネル２４０およびバックライト２７９を制御し、表示データ４３２に基づく画像を、液晶パネル２４０に表示する。
【０２３３】
転送制御部４５４は、入力パターン４３３および添付データ４３４を含むコマンドを作成する。転送制御部４５４は、外部通信部２７４を制御し、作成したコマンドを他の電子機器（電子機器１００＃、１０、２０）に送信する。なお、ここでは、転送制御部４５４は、外部通信部２７４ではなく、第１ユニット１００１側の外部通信部１７４を制御して、コマンドを他の電子機器に送信してもよい。
【０２３４】
電子機器１００＃の機能的構成は、電子機器１００と同様であるので繰り返さない。図１９および以降の説明では、電子機器１００の各部と対応する電子機器１００＃の各部の名称を、電子機器１００の各部の名称に「＃」を付けたものとする。
【０２３５】
（電子機器１０）
電子機器１０は、入力部５１０と、表示部５２０と、記憶部５３０と、通信部５４０と、制御部５５０とを含む。
【０２３６】
入力部５１０は、外部からの指示を受け付ける。表示部５２０は、電子機器１０内部の情報を外部に表示する。本実施の形態では、光センサ内蔵液晶パネル１２が、入力部５１０および表示部５２０の機能を果たす。ただし、光センサ内蔵液晶パネル２４０は、表示一体型タブレットの一例であり、光センサ内蔵液晶パネル２４０とは異なる構成の表示一体型タブレットを用いてもよい。また、入力部５１０の機能の一部は、電子機器１０に備えられた入力キーなどの他の入力デバイスによって実現されてもよい。
【０２３７】
記憶部５３０は、光センサ内蔵液晶パネル１２に表示する表示データ５３２などの情報を格納する。表示データ５３２は、光センサ内蔵液晶パネル１２が受け付けた入力に対応する入力パターン５３３を含む。
【０２３８】
通信部５４０は、他の電子機器との間で情報のやり取りを行なう。通信部５４０は、例えば、ＢｌｕｅｔｏｏｔｈやＩｒＤＡ（Ｉｎｆｒａｒｅｄ  Ｄａｔａ  Ａｓｓｏｃｉａｔｉｏｎ）などの規格に従う無線通信を用いて、他の電子機器と通信する。
【０２３９】
制御部５５０は、入力部５１０が受け付けた指示等に基づいて、表示部５２０、記憶部５３０、通信部５４０の動作を制御する。制御部５５０は、表示制御部５５２と、再転送制御部５５４とを含む。表示制御部５５２は、光センサ内蔵液晶パネル１２を制御し、表示データ５３２に基づく画像を、光センサ内蔵液晶パネル１２に表示する。転送制御部４５４は、電子機器１００からのコマンドに基づいて、通信部５４０を制御し、コマンドに含まれる添付データ４３４を含むコマンドを電子機器２０に送信する。転送制御部４５４の動作の詳細については後述する。
【０２４０】
（電子機器２０）
電子機器２０は、入力部６１０と、表示部６２０と、記憶部６３０と、通信部６４０と、制御部６５０とを含む。
【０２４１】
入力部６１０は、外部からの指示を受け付ける。入力部６１０の機能の一部は、電子機器２０に備えられた入力キーやタッチパッドなどの入力デバイスによって実現される。表示部６２０は、電子機器１０内部の情報を外部に表示する。本実施の形態では、モニタ２２が、表示部５２０の機能を果たす。
【０２４２】
記憶部６３０は、モニタ２２に表示する表示データなどの情報を格納する。
通信部６４０は、他の電子機器との間で情報のやり取りを行なう。通信部５４０は、例えば、ＢｌｕｅｔｏｏｔｈやＩｒＤＡ（Ｉｎｆｒａｒｅｄ  Ｄａｔａ  Ａｓｓｏｃｉａｔｉｏｎ）などの規格に従う無線通信を用いて、他の電子機器と通信する。なお、システム内の各電子機器が用いる通信規格は、統一されているものとする。
【０２４３】
制御部６５０は、入力部６１０が受け付けた指示等に基づいて、表示部６２０、記憶部６３０、通信部６４０の動作を制御する。制御部６５０は、表示制御部６５２を含む。表示制御部６５２は、モニタ２２を制御し、表示データに基づく画像を、モニタ２２に表示する。
【０２４４】
なお、本実施の形態に係る通信システム１に含まれる各電子機器は、自身に割り当てられたＩＰアドレスを利用することにより、直接的に相互にネットワークを介してデータ送受信を行うことが可能である。すなわち、本実施の形態に係る通信システム１に含まれる電子機器１００，１００＃、１０，２０は、いわゆるＰ２Ｐ（Ｐｅａｒ  ｔｏ  Ｐｅａｒ）型のネットワークを構成することが可能である。
【０２４５】
＜動作（その１）：２画面をもつ電子機器間でのチャット＞
図２０を参照して、電子機器１００および電子機器１００＃を利用した手書きチャットについて説明する。図２０は、電子機器１００および電子機器１００＃の動作を説明する図である。
【０２４６】
図２０（Ａ）は、電子機器１００が、電子機器１００＃にデータを転送する前の電子機器１００および電子機器１００＃の表示画面を示す図である。図２０（Ａ）を参照して、電子機器１００の液晶パネル２４０は、パソコンの画像と、液晶パネル２４０へ入力された入力パターン（図では、これ↓）とを表示する。液晶パネル１４０は、液晶パネル２４０に表示されている画像とは異なる画像を表示する。ここでは、液晶パネル１４０の画像は、液晶パネル２４０に表示されているパソコンに関する詳細データを含むウェブページであるとする。
【０２４７】
一方、電子機器１００＃の液晶パネル２４０＃は、液晶パネル２４０が表示している画像と共通するパソコンの画像を表示する。ただし、液晶パネル２４０＃は、電子機器１００の液晶パネル２４０へ入力された入力パターンは表示していない。液晶パネル１４０＃は、この時点では、画像を表示していない。
【０２４８】
電子機器１００は、入力部３１０あるいは入力部４１０への指示に基づいて、入力パターン４３３および添付データ４３４を含むコマンドを、外部通信部１７４あるいは外部通信部２７４を介して、電子機器１００＃に送信する。コマンドの詳細については後述する。
【０２４９】
ここでは、添付データ４３４は、添付データ作成部３５４が添付データの作成指示を受け付けたときに液晶パネル１４０に表示されているウェブページのＵＲＬ（ｕｎｉｆｏｒｍ  ｓｏｕｒｃｅ  ｌｏｃａｔｏｒ）であるとする。すなわち、添付データ作成部３５４は、添付データの作成指示を受け付けると、記憶部３３０から表示されているウェブページのＵＲＬを読み出し、読み出したＵＲＬを添付データ４３４として設定する。
【０２５０】
なお、添付データ４３４は、ウェブページのＵＲＬに限られない。添付データ４３４は、より一般に、表示画面へのリンクであってもよい。たとえば、添付データ４３４は、各電子機器がアクセス可能なデータサーバ上のアドレスなどであってもよい。
【０２５１】
あるいは、添付データ作成部３５４は、液晶パネル１４０に表示中のファイル（例えば、画像データ、ドキュメントデータ）を添付データ４３４としてもよい。あるいは、添付データ作成部３５４は、表示画面の基となる表示データ４３２そのものを添付データ４３４としてもよい。ただし、表示画面へのリンクが存在する場合は、リンクを添付データ４３４とするほうが、転送データのデータ量を削減することができる点で好ましい。
【０２５２】
図２０（Ｂ）は、電子機器１００が、電子機器１００＃にデータを転送した後の電子機器１００および電子機器１００＃の表示画面を示す図である。図２０（Ｂ）を参照して、電子機器１００の表示画面は、データの転送前後で、変化しない。
【０２５３】
一方、電子機器１００＃の表示制御部４５２は、電子機器１００からのコマンドを受信すると、コマンドに含まれる入力パターン４３３に対応する表示を液晶パネル２４０＃に表示させる。また、表示制御部３５２＃は、電子機器１００からのコマンドを受信すると、液晶パネル１４０＃に添付データ４３４に対応する画面を表示する。
【０２５４】
ここでは、添付データ４３４がＵＲＬであることに応じて、制御部３５０＃はブラウザを起動する。ブラウザは、ＵＲＬに応じたウェブページの表示データを作成する。表示制御部３５２＃は、作成された表示データに基づく画面を液晶パネル１４０＃に表示させる。なお、添付データ４３４が、ファイルである場合は、制御部３５０＃は、ファイルの形式に応じたアプリケーションを起動する。アプリケーションが、表示データを作成する。添付データ４３４＃が、表示データ４３２そのものである場合は、表示制御部３５２＃は、表示データ４３２に基づく画面を表示パネル１４０＃に表示する。
【０２５５】
このように、電子機器１００および電子機器１００＃は、液晶パネル２４０，２４０＃により、手書きチャット用の画像データを共有する。また、電子機器１００＃は、電子機器１００からのコマンドにしたがって、添付データ４３４に応じた画面を液晶パネル１４０＃に表示する。したがって、本実施の形態に係る通信システム１によれば、手書きチャット用の画面が見づらくなることなく、添付データを円滑に共有できる。
【０２５６】
特に、電子機器１００は、液晶パネル１４０の表示画面に関するデータを添付データ４３４として作成するので、電子機器１００のユーザは、添付データ４３４の内容を液晶パネル１４０で確認することができる。つまり、ユーザは、液晶パネル２４０の表示を変更しなくても、添付データ４３４の内容を確認することができる。したがって、本システム１によれば、ユーザは、手書きチャットの流れを中断することなく、添付データを作成できる。
【０２５７】
以上では、添付データ作成部３５４表示画面に関するデータを添付データ４３４として作成する例を示してきた。添付データ作成部３５４の動作の他の例として、添付データ作成部３５４は、液晶パネル１４０が光センサにより取得した画像データを添付データ４３４としてもよい。この場合、ユーザは、手元の書類や写真などを液晶パネル１４０に近づけて、液晶パネル１４０に読み取らせる。こうすることで、ユーザは、書類や写真を、電子機器１００＃に転送することができる。
【０２５８】
（コマンド）
ここからは、電子機器１００が作成するコマンドについて説明する。コマンドは、通信システム１内の各電子機器に、所定の動作の実行を要求する。コマンドは、所定の規格で記述されており、各電子機器は、コマンドを受け取ると、コマンドに応じた所定の動作を行なう。
【０２５９】
より詳しくは、コマンドは、図２１を参照して、ヘッダＤＡ１１０と、入力パターンデータＤＡ１２０と、添付データＤＡ１３０とを含む。コマンドは、コマンドの宛先の電子機器に、入力パターンデータＤＡ１２０に対応する入力パターンを表示一体型タブレットで表示すること、および添付データＤＡ１３０を表示一体型タブレットとは異なるモニタで再生することを要求する。
【０２６０】
コマンドは、電子機器１００＃のように表示一体型タブレットとモニタとを備える機器には、入力パターンをその機器の表示一体型タブレットで表示すること、および添付データＤＡ１３０をその機器のモニタで再生することを要求する。つまり、上記の動作例で説明したように、表示一体型タブレットとモニタとを備える機器は、コマンドを受け取ると、入力パターンを表示一体型タブレットで表示し、添付データに対応する画像をモニタに表示する。
【０２６１】
本実施の形態に係るコマンドの形式について、図２２を参照して示す。図２２では、ヘッダＤＡ１１０を省略し、入力パターンデータＤＡ１２０および添付データＤＡ１３０について示している。ただし、コマンドの形式はここに示すものに限られない。コマンドは、通信システム１内の各電子機器に共通の規格で記述されていればよい。
【０２６２】
入力パターンデータＤＡ１２０は、図２２に示すように、液晶パネルへの入力パターンを表わすデータ、つまり、ｌｉｎｅ（ＳＴＡＲＴ，ＥＮＤ，ＣＯＬＯＲ）を複数含む。このデータは、ＳＴＡＲＴの座標とＥＮＤの座標とを結び、ＣＯＬＯＲで指定される色を持つ線分に対応する。図２２中のｌｉｎｅ（ｐ，ｑ，Ｒ）は、座標ｐから座標ｑまでの赤色（ｒｅｄ）の線分を表わす。ｌｉｎｅ（ｒ，ｓ，Ｂ）は、座標ｒから座標ｓまでの青色（ｂｌｕｅ）の線分を表わす。
【０２６３】
転送制御部４５４は、チャットのやり取りなどによりパターンが入力される都度、入力パターンを表わすデータを入力パターンデータＤＡ１２０に追加する。転送制御部４５４は、新しい入力パターンを表わすデータを、入力パターンデータＤＡ１２０の最も下に追加される。
【０２６４】
添付データＤＡ１３０は、ＵＲＬの添付を表わすａｔｔａｃｈ（ＵＲＬ；［ＵＲＬを表わす文字列］）と、ファイルの添付を表わすＦｉｌｅ（ｄａｔａ）とを含む。コマンドを受け取った電子機器は、添付データの種類に応じた動作を行なう。すなわち、電子機器は、添付データがＵＲＬである場合、ブラウザを起動する。また、添付データがファイルである場合、ファイルの形式に応じたアプリケーションを起動する。
【０２６５】
（処理の流れ）
電子機器１００，１００＃が手書きチャットにあたり行なう処理の流れについて図２３を参照して説明する。
【０２６６】
ステップＳ１０１において、電子機器１００の添付データ作成部３５４は、入力部３１０が受け付けた添付データの作成指示に応じて、添付データ４３４を作成する。添付データ作成部３５４は、作成した添付データ４３４を、記憶部４３０に格納する。
【０２６７】
ステップＳ１０３において、転送制御部４５４は、入力部３１０が受け付けたデータの転送指示に応じて、入力パターン４３３および添付データ４３４を含むコマンドを作成する。転送制御部４５４は、外部通信部２７４（または外部通信部１７４）を制御し、作成したコマンドを電子機器１００＃に送信する。
【０２６８】
ステップＳ２０１において、電子機器１００＃の外部通信部２７４＃は、入力パターン４３３および添付データ４３４を含むコマンドを受信する。
【０２６９】
ステップＳ２０３において、表示制御部４５２＃は、コマンドに含まれる入力パターンを液晶パネル２４０＃（表示一体型タブレット）に表示する。
【０２７０】
ステップＳ２０５において、表示制御部３５２＃は、コマンドに含まれる添付データを液晶パネル１４０＃（モニタ）に表示する。
【０２７１】
なお、ここでは、電子機器１００から電子機器１００＃へのデータの転送について説明したが、電子機器１００＃から電子機器１００へのデータの転送も同様に実現される。電子機器１００および電子機器１００＃のユーザは、このようなデータ転送を繰り返すことで、手書きチャットを行なうことができる。
【０２７２】
＜動作（その２）：２画面を持つ電子機器と１画面のみを持つ電子機器との間のチャット＞
コマンドは、すでに説明したように、表示一体型タブレットとモニタとを備える機器には、入力パターンをその機器の表示一体型タブレットで表示すること、および添付データをその機器のモニタで再生することを要求する。
【０２７３】
一方、コマンドは、表示一体型タブレットを備えるがモニタを備えない機器（１画面機器とよぶ）には、入力パターンをその機器の表示一体型タブレットで表示すること、および、添付データをモニタを有する機器に転送することを要求する。つまり、１画面機器は、コマンドを受信すると、入力パターンをその機器の表示一体型タブレットで表示し、添付データをモニタを有する機器に転送する。
【０２７４】
１画面機器を含む動作について、図２４を参照して説明する。図２４は、電子機器１００、電子機器１０および電子機器２０の動作を説明する図である。
【０２７５】
図２４（Ａ）は、電子機器１００が、電子機器１０にデータを転送する前の電子機器１００および電子機器１０の表示画面を示す図である。図２４（Ａ）を参照して、電子機器１００の液晶パネル２４０は、パソコンの画像と、液晶パネル２４０へ入力された入力パターン（図では、これ↓）とを表示する。液晶パネル１４０は、液晶パネル２４０に表示されている画像とは異なる画像を表示する。ここでは、液晶パネル１４０の画像は、液晶パネル２４０に表示されているパソコンに関する詳細データを含むウェブページであるとする。
【０２７６】
一方、電子機器１０の光センサ内蔵液晶パネル１２は、液晶パネル２４０が表示している画像と共通するパソコンの画像を表示する。ただし、光センサ内蔵液晶パネル１２は、電子機器１００の液晶パネル２４０へ入力された入力パターンは表示していない。
【０２７７】
図２４（Ｂ）は、電子機器１００が、電子機器１０にコマンドを送った際の電子機器１０および電子機器２０の動作を示す図である。コマンドを受け取った電子機器１０は、光センサ内蔵液晶パネル１２にコマンドに含まれる入力パターン４３３に対応する表示を表示する。また、電子機器１０は、コマンドに含まれる添付データを、モニタ２２を有する電子機器２０に送信する。
【０２７８】
ここで、添付データの転送先は、電子機器１０に予め登録されているものとする。ただし、電子機器１０は、他の方法で転送先を決定してもよい。例えば、電子機器１０は、コマンドを受け取った時点で、周辺の電子機器に添付データの受信の可否を問い合わせ、添付データを受信できると返答した電子機器に添付データを送信してもよい。
【０２７９】
本通信システム１内の１画面機器は、以上のように動作する。したがって、１画面機器のユーザは、他の電子機器にて添付データを確認することができる。
【０２８０】
図２５を参照して、電子機器１００，１０，２０が手書きチャットにあたり行なう処理の流れを説明する。
【０２８１】
ステップＳ３０１において、電子機器１００の添付データ作成部３５４は、入力部３１０が受け付けた添付データの作成指示に応じて、添付データ４３４を作成する。添付データ作成部３５４は、作成した添付データ４３４を、記憶部４３０に格納する。
【０２８２】
ステップＳ３０３において、転送制御部４５４は、入力部３１０が受け付けたデータの転送指示に応じて、入力パターン４３３および添付データ４３４を含むコマンドを作成する。転送制御部４５４は、外部通信部２７４（または外部通信部１７４）を制御し、作成したコマンドを電子機器１０に送信する。
【０２８３】
ステップＳ４０１において、電子機器１０の通信部５４０は、入力パターン４３３および添付データ４３４を含むコマンドを受信する。
【０２８４】
ステップＳ４０３において、表示制御部５５２は、コマンドに含まれる入力パターンを光センサ内蔵液晶パネル１２（表示一体型タブレット）に表示する。
【０２８５】
ステップＳ４０５において、再転送制御部５５４は、通信部５４０を制御し、コマンドに含まれる添付データを電子機器２０に送信する。
【０２８６】
ステップＳ５０１において電子機器２０の通信部６４０は、添付データを受信する。ステップＳ５０３において、制御部６５０は、添付データの形式に応じてアプリケーションを起動し、添付データに対応する表示データを作成する。表示制御部６５２は、添付データに対応する表示データをモニタ２２に表示させる。
【０２８７】
なお、ここでは、電子機器１００から電子機器１０へのデータの転送について説明したが、電子機器１０が電子機器１００へデータを転送することもできる。この場合、電子機器１０は、光センサ内蔵液晶パネル１２に入力された入力パターン５３３を電子機器１００に送信する。電子機器１００および電子機器１０のユーザは、このようなデータ転送を繰り返すことで、手書きチャットを行なうことができる。
【０２８８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２８９】
【図１】通信システム１の構成を示す図である。
【図２】電子機器のハードウェア構成を表わすブロック図である。
【図３】表示パネルの構成と当該表示パネルの周辺回路とを示した図である。
【図４】表示パネルとバックライトとの断面図である。
【図５】光センサ回路を動作させる際のタイミングチャートを示した図である。
【図６】スキャンの際にフォトダイオードがバックライトからの光を受光する構成を示した断面図である。
【図７】コマンドの概略構成を示した図である。
【図８】種別「０００」のコマンドを説明するための図である。
【図９】種別「００１」のコマンドを説明するための図である。
【図１０】種別「０１０」のコマンドを説明するための図である。
【図１１】種別「０１１」のコマンドを説明するための図である。
【図１２】種別「１００」のコマンドを説明するための図である。
【図１３】種別「１０１」のコマンドを説明するための図である。
【図１４】応答データの概略構成を示した図である。
【図１５】指をスキャンすることにより得られた画像（スキャン画像）を示した図である。
【図１６】光センサ内蔵液晶パネル１４０Ａの回路図である。
【図１７】スキャンの際にフォトダイオードが外光を受光する構成を示した断面図である。
【図１８】電子機器の変形例のハードウェア構成を表すブロック図である。
【図１９】通信システム１の機能的構成を示すブロック図である。
【図２０】電子機器１００および電子機器１００＃の動作を説明する図である。
【図２１】コマンドのデータ構造の概略を示す図である。
【図２２】コマンドのデータ構造の詳細を示す図である。
【図２３】電子機器１００，１００＃が手書きチャットにあたり行なう処理の流れをフローチャート形式で示す図である。
【図２４】電子機器１００、電子機器１０および電子機器２０の動作を説明する図である。
【図２５】電子機器１００，１０，２０が手書きチャットにあたり行なう処理の流れをフローチャート形式で示す図である。
【符号の説明】
【０２９０】
１  通信システム、１０，２０，１００，１００＃  電子機器、１００Ａ  筐体、１００Ｂ  筐体、１００Ｃ  ヒンジ、１０１  本体装置、１０２  表示装置、１０２Ａ  表示装置、１０３  表示装置、１０４  本体装置、１３０  ドライバ、１３１  走査信号線駆動回路、１３２  データ信号線駆動回路、１３３  光センサ駆動回路、１３４  スイッチ、１３５  アンプ、１４０  光センサ内蔵液晶パネル、１４０Ａ  光センサ内蔵液晶パネル、１４１  画素回路、１４１ｂ  サブピクセル回路、１４１ｇ  サブピクセル回路、１４１ｒ  サブピクセル回路、１４１ｒ  画素回路、１４３  電極対、１４３ａ  画素電極、１４３ｂ  対向電極、１４４  光センサ回路、１４５  フォトダイオード、１４５ｂ  フォトダイオード、１４５ｇ  フォトダイオード、１４５ｒ  フォトダイオード、１４６  コンデンサ、１５１Ａ  アクティブマトリクス基板、１５１Ｂ  対向基板、１５２  液晶層、１５３ｂ  カラーフィルタ、１５３ｇ  カラーフィルタ、１５３ｒ  カラーフィルタ、１５７  データ信号線、１６１  偏光フィルタ、１６２  ガラス基板、１６３  遮光膜、１６４  配向膜、１７３  メモリカードリーダライタ、１７４  外部通信部、１７５  マイク、１７６  スピーカ、１７７  操作キー、１７９  バックライト、１８０  画像処理エンジン、１８１  ドライバ制御部、１８２  タイマ、１８３  信号処理部、１９１  電源スイッチ、１９２  電源回路、１９３  電源検出部、１９４  コネクタ、１９５  アンテナ、１９６  コネクタ、２３０  ドライバ、２４０  光センサ内蔵液晶パネル、２４０  液晶パネル、２７４  外部通信部、２７９  バックライト、２８０  画像処理エンジン、２８１  ドライバ制御部、２８２  タイマ、２８３  信号処理部、２９３  電源検出部、２９４  コネクタ、２９５  アンテナ、２９７  信号強度検出部、３１０  入力部、３２０  表示部、３３０  記憶部、３３２  表示データ、３４０  内部Ｉ／Ｆ部、３５０  制御部、３５２  表示制御部、３５４  添付データ作成部、４１０  入力部、４２０  表示部、４３０  記憶部、４３２  表示データ、４３３  入力パターン、４３４  添付データ、４４０  内部Ｉ／Ｆ部、４５０  制御部、４５２  表示制御部、４５４  転送制御部、５１０  入力部、５２０  表示部、５３０  記憶部５３２  表示データ、５３３  入力パターン、５４０  通信部、５５０  制御部、５５２  表示制御部、５５４  再転送制御部、６１０  入力部、６２０  表示部、６３０  記憶部、６４０  通信部、６５０  制御部、６５２  表示制御部、１００１  第１ユニット、１００２  第２ユニット。
【図１】
2010108158.tif 000003
【図２】
2010108158.tif 000004
【図３】
2010108158.tif 000005
【図４】
2010108158.tif 000006
【図５】
2010108158.tif 000007
【図６】
2010108158.tif 000008
【図７】
2010108158.tif 000009
【図８】
2010108158.tif 000010
【図９】
2010108158.tif 000011
【図１０】
2010108158.tif 000012
【図１１】
2010108158.tif 000013
【図１２】
2010108158.tif 000014
【図１３】
2010108158.tif 000015
【図１４】
2010108158.tif 000016
【図１５】
2010108158.tif 000017
【図１６】
2010108158.tif 000018
【図１７】
2010108158.tif 000019
【図１８】
2010108158.tif 000020
【図１９】
2010108158.tif 000021
【図２０】
2010108158.tif 000022
【図２１】
2010108158.tif 000023
【図２２】
2010108158.tif 000024
【図２３】
2010108158.tif 000025
【図２４】
2010108158.tif 000026
【図２５】
2010108158.tif 000027